(57)【要約】  ハンドオーバ前に再構成されたＱｏＳパスができる限りハンドオーバ後の最適なＱｏＳパスとなり、ハンドオーバ後に行うＱｏＳパスの再ルート構成の負荷を低減させることができ、ハンドオーバ直後に行うＱｏＳパス設定区間が短くなり、ＱｏＳ中断時間を最小にすることができる高速ＱｏＳハンドオーバ方法及びその方法で用いられる処理ノードを提供する技術が開示され、その技術によれば移動端末１０が、ハンドオーバ後のＱｏＳパスの変更処理の負荷を低減させるための所定の処理を行う処理ノードに対して、所定のＱｏＳパスを構成させるための第１のシグナリングを送信するステップと、第１のシグナリングを受信する処理ノードが、受信した第１のシグナリングに基づいて、所定のＱｏＳパスのＱｏＳ設定をするための第２のシグナリングを生成し、生成された第２のシグナリングを所定のＱｏＳパスのＱｏＳ設定を行う所定の通信相手に送出するステップとを有する。
2007119598.tif 000002
【特許請求の範囲】
【請求項１】
それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中の、第１のアクセスルータに接続する第１のアクセスポイントから、第２のアクセスルータに接続する第２のアクセスポイントへ接続を切り替える際のＱｏＳパスの変更による高速ＱｏＳハンドオーバ方法であって、
前記移動端末が、前記ハンドオーバ後の前記ＱｏＳパスの変更処理の負荷を低減させるための所定の処理を行う処理ノードに対して、所定のＱｏＳパスを構成させるための第１のシグナリングを送信するステップと、
前記第１のシグナリングを受信する前記処理ノードが、受信した前記第１のシグナリングに基づいて、前記所定のＱｏＳパスのＱｏＳ設定をするための第２のシグナリングを生成し、生成された前記第２のシグナリングを前記所定のＱｏＳパスの前記ＱｏＳ設定を行う所定の通信相手に送出するステップとを、
有する高速ＱｏＳハンドオーバ方法。
【請求項２】
前記所定のＱｏＳパスは、前記移動端末自身の通信相手の端末から、前記第２のアクセスポイントが接続されている前記第２のアクセスルータ及び前記第１のアクセスポイントが接続されている前記第１のアクセスルータを経由する請求項１に記載の高速ＱｏＳハンドオーバ方法。
【請求項３】
前記第１のシグナリングは、前記ハンドオーバ前のＱｏＳパスの情報を含む請求項１に記載の高速ＱｏＳハンドオーバ方法。
【請求項４】
前記ハンドオーバ前のＱｏＳパスの前記情報は、セッション識別情報及びフロー識別情報である請求項３に記載の高速ＱｏＳハンドオーバ方法。
【請求項５】
前記所定のＱｏＳパスが構成され、前記移動端末が前記ハンドオーバをした後、前記処理ノード、前記第１のアクセスポイントが接続されている前記第１のアクセスルータ、前記第２のアクセスポイントが接続されている前記第２のアクセスルータのうちのいずれかが、前記所定のＱｏＳパスのうち、前記第２のアクセスルータと前記ハンドオーバ前の前記移動端末が接続していた前記第１のアクセスポイントとの間のＱｏＳパスを消去する請求項１に記載の高速ＱｏＳハンドオーバ方法。
【請求項６】
それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中の、第１のアクセスルータに接続する第１のアクセスポイントから、第２のアクセスルータに接続する第２のアクセスポイントへ接続を切り替える際のＱｏＳパスの変更による高速ＱｏＳハンドオーバ方法で用いられる処理ノードであって、
所定のＱｏＳパスを構成させるための第１のシグナリングを前記移動端末から受信する受信手段と、
受信された前記第１のシグナリングに基づいて、前記所定のＱｏＳパスのＱｏＳ設定をするための第２のシグナリングを生成するシグナリング生成手段と、
生成された前記第２のシグナリングを前記所定のＱｏＳパスの前記ＱｏＳ設定を行う所定の通信相手に送出する送信手段とを、
備える処理ノード。
【請求項７】
前記所定のＱｏＳパスは、前記移動端末の通信相手の端末から、前記第２のアクセスポイントが接続されている前記第２のアクセスルータ及び前記第１のアクセスポイントが接続されている前記第１のアクセスルータを経由する請求項６に記載の処理ノード。
【請求項８】
前記第１のシグナリングは、前記ハンドオーバ前のＱｏＳパスの情報を含む請求項６に記載の処理ノード。
【請求項９】
前記ハンドオーバ前のＱｏＳパスの前記情報は、セッション識別情報及びフロー識別情報である請求項８に記載の処理ノード。
【請求項１０】
前記所定のＱｏＳパスが構成され、前記移動端末が前記ハンドオーバをした後、前記所定のＱｏＳパスのうち、前記第２のアクセスポイントが接続されている前記第２のアクセスルータと前記ハンドオーバ前の前記移動端末が接続していた前記第１のアクセスポイントとの間のＱｏＳパスを消去するパス消去手段を更に備える請求項６に記載の処理ノード。
【請求項１１】
それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中のアクセスルータに接続するアクセスポイントから、他のアクセスルータに接続する他のアクセスポイントへ接続を切り替え、さらにその後前記他のアクセスルータに接続する前記他のアクセスポイントを離れ、所定のアクセスルータに接続する所定アクセスポイントへ接続を切り替えていく際のＱｏＳパスの変更による高速ＱｏＳハンドオーバ方法であって、
前記移動端末が、前記ハンドオーバ後の前記ＱｏＳパスの変更処理の負荷を低減させるための所定の処理を行う処理ノードに対して、所定のＱｏＳパスを構成させるための第１のシグナリングを送信するステップと、
前記第１のシグナリングを受信する前記処理ノードが、受信した前記第１のシグナリングに基づいて、前記所定のＱｏＳパスのＱｏＳ設定をするための第２のシグナリングを生成し、生成された前記第２のシグナリングを前記所定のＱｏＳパスの前記ＱｏＳ設定を行う所定の通信相手に送出するステップとを、
有する高速ＱｏＳハンドオーバ方法。
【請求項１２】
前記所定のＱｏＳパスは、前記移動端末自身の通信相手の端末から、前記所定アクセスポイントが接続されている前記所定のアクセスルータ、前記他のアクセスポイントから前記所定アクセスポイントへの移動の間に接続したアクセスポイントがある場合には前記接続したアクセスポイントが接続されているアクセスルータ、前記他のアクセスポイントが接続されている前記他のアクセスルータ、及び前記現在通信中のアクセスポイントが接続されている前記アクセスルータを経由する請求項１１に記載の高速ＱｏＳハンドオーバ方法。
【請求項１３】
前記第１のシグナリングは、前記ハンドオーバ前のＱｏＳパスの情報を含む請求項１１に記載の高速ＱｏＳハンドオーバ方法。
【請求項１４】
前記ハンドオーバ前のＱｏＳパスの前記情報は、セッション識別情報及びフロー識別情報である請求項１３に記載の高速ＱｏＳハンドオーバ方法。
【請求項１５】
前記所定のＱｏＳパスが構成され、前記移動端末が前記ハンドオーバをした後、前記処理ノード、前記移動端末のハンドオーバ前に接続していたアクセスポイントが接続されているアクセスルータ、前記移動端末のハンドオーバ後に接続するアクセスポイントが接続されているアクセスルータのうちのいずれかが、前記所定のＱｏＳパスのうち、移動先の前記アクセスルータと前記ハンドオーバ前の前記移動端末が接続していた前記アクセスポイントとの間のＱｏＳパスを消去する請求項１１に記載の高速ＱｏＳハンドオーバ方法。
【請求項１６】
それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中のアクセスルータに接続するアクセスポイントから、他のアクセスルータに接続する他のアクセスポイントへ接続を切り替え、さらにその後前記他のアクセスルータに接続する前記他のアクセスポイントを離れ、所定のアクセスルータに接続する所定アクセスポイントへ接続を切り替えていく際のＱｏＳパスの変更による高速ＱｏＳハンドオーバ方法で用いられる処理ノードであって、
所定のＱｏＳパスを構成させるための第１のシグナリングを前記移動端末から受信する受信手段と、
受信された前記第１のシグナリングに基づいて、前記所定のＱｏＳパスのＱｏＳ設定をするための第２のシグナリングを生成するシグナリング生成手段と、
生成された前記第２のシグナリングを前記所定のＱｏＳパスの前記ＱｏＳ設定を行う所定の通信相手に送出する送信手段とを、
備える処理ノード。
【請求項１７】
前記所定のＱｏＳパスは、前記移動端末自身の通信相手の端末から、前記所定アクセスポイントが接続されている前記所定のアクセスルータ、前記他のアクセスポイントから前記所定アクセスポイントへの移動の間に接続したアクセスポイントがある場合には前記接続したアクセスポイントが接続されているアクセスルータ、前記他のアクセスポイントが接続されている前記他のアクセスルータ、及び前記現在通信中のアクセスポイントが接続されている前記アクセスルータを経由する請求項１６に記載の処理ノード。
【請求項１８】
前記第１のシグナリングは、前記ハンドオーバ前のＱｏＳパスの情報を含む請求項１６に記載の処理ノード。
【請求項１９】
前記ハンドオーバ前のＱｏＳパスの前記情報は、セッション識別情報及びフロー識別情報である請求項１８に記載の処理ノード。
【請求項２０】
前記所定のＱｏＳパスが構成され、前記移動端末が前記ハンドオーバをした後、前記所定のＱｏＳパスのうち、移動先のアクセスルータと前記ハンドオーバ前の前記移動端末が接続していたアクセスポイントとの間のＱｏＳパスを消去するパス消去手段を更に備える請求項１６に記載の処理ノード。
【発明の詳細な説明】
【技術分野】
【０００１】
本発明は、無線通信を行う移動端末（モバイルノード）の高速ＱｏＳハンドオーバ方法及びその方法で用いられる処理ノードに関し、特に、次世代インターネットプロトコルであるモバイルＩＰｖ６（Mobile Internet Protocol version 6）プロトコルを利用した無線通信を行うモバイルノードにおける高速ＱｏＳハンドオーバ方法及びその方法で用いられる処理ノードに関する。
【背景技術】
【０００２】
新たなシグナリングプロトコルとして、ＮＳＩＳ（Next Step In Signaling）がＩＥＴＦのＮＳＩＳワーキンググループによって標準化されつつある（下記の非特許文献１を参照）。ＮＳＩＳはＱｏＳ（Quality of Service）リソース予約において特に有効であると期待されている。最近のインターネットドラフトには、一般的なＮＳＩＳ（下記の非特許文献５及び６を参照）だけでなく、他のＮＳＩＳにおけるＱｏＳシグナリングやモビリティサポートの実施の必要性や提案が記載されている（下記の非特許文献２から４を参照）。ネットワークにおけるルータ若しくはターミナルのすべてがＮＳＩＳ  Ｅｎｔｉｔｉｅｓ（ＮＥ）ではないが、ＮＥはＮＳＩＳ機能を有している。なお、ＮＥのすべてがモビリティ機能におけるＱｏＳをサポートするわけではない。ここでは、ＱｏＳ機能を有するＮＥをＱＮＥ（QoS NE）と呼ぶ。【０００３】
ＱｏＳリソースは、転送されるデータを通すパスに沿ってそれぞれのＱＮＥで予約される。パス上で保証されたＱｏＳのパケットを識別するためにフローＩＤが用いられる。フローＩＤはデータ送信側と受信側のＩＰアドレスを含んでいる（下記の非特許文献５を参照）ので、フローＩＤはＩＰアドレスがハンドオーバなどのモビリティの移動により変わると変化する。一方、セッションＩＤはＭＮ（Mobile Node）とＣＮ（Correspondent Node）との間のセッションを識別するために用いられる。そのため、セッションＩＤはフローＩＤがモビリティの移動により変化しても同じままである。【０００４】
ここで、図１０に示すように、ハンドオーバが起こると、経路（古いパス）２４´と経路（新たなパス）３４´との分岐点に位置するＱＮＥであるＣＲＮ（Crossover Node）１２´は、ＱｏＳハンドオーバで二重予約を避けるために重要な役割を有する。ＣＲＮ１２´は、重なり合うパス部分（ＣＮ６０´−ＣＲＮ１２´間）と新たなパス部分（ＣＲＮ１２´−ＭＮ１０´間）で異なる処理をする必要がある。すなわち、ＣＮ６０´−ＣＲＮ１２´間における状態の更新とＣＲＮ１２´−ＭＮ１０´間におけるＱｏＳの状態予約をする必要がある。したがって、ＣＲＮ１２´の発見はＱｏＳハンドオーバで重要な問題の１つである。ハンドオーバによるＱｏＳ中断を避けるため、若しくは最小限にするため、すばやく処理しなければならない。しかしながら、ＣＲＮ発見には時間を要し、シグナリング負荷も大きくなる。【０００５】
そこで、このような問題を解消するためのいくつかのテクニックが提案されている。例えば、下記の非特許文献７に開示されている技術がある。下記の非特許文献７に開示されている技術ではすばやいＣＲＮ発見を実現するプロキシを提案している。ＭＮはプロキシとして振舞うＮＡＲ（New Access Router）に、古いフローＩＤとセッションＩＤの組を含めたリクエストを送信する。ＮＡＲは上流方向のＣＲＮを発見するためにＱＵＥＲＹメッセージをＣＮに送信する。パス上のそれぞれのＱＮＥはＱＵＥＲＹメッセージを取得し、古いフローＩＤとセッションＩＤの組を比較し、自身がＣＲＮか否かをチェックする。ＱＵＥＲＹメッセージを受けると、ＣＮは、受けたＱＵＥＲＹメッセージに対するＲＥＳＰＯＮＳＥメッセージだけでなく、下流方向のＣＲＮを発見するためのＱＵＥＲＹメッセージをＮＡＲに送信する。ＣＲＮの発見には少なくとも１回のＲＴＴ（Round Trip Time）がかかり、ＭＮがハンドオーバをするたびにＣＲＮの発見をしなければならず負荷がかかる。【０００６】
そこで、シグナリングの負荷を低減させるため、１つの方法としてＣＲＮとしてあるＱＮＥを指定する方法がある。あるＣＲＮとして古いＱｏＳパス上のＱＮＥが指定され、その指定されるＱＮＥとして、例えばＰＡＲ（Previous Access Router）が考えられる。このように構成することにより、シグナリングの負荷を低減させることができる。このような技術は下記の特許文献１及び２に開示されている。
【非特許文献１】NSIS WG（http://www.ietf.org/html.charters/nsis-charter.html）
【非特許文献２】H. Chaskar, Ed, "Requirements of a Quality of Service (QoS) Solution for Mobile IP", RFC3583, September 2003
【非特許文献３】Sven Van den Bosch,Georgios Karagiannis and Andrew McDonald, "NSLP for Quality-of-Service signalling", draft-ietf-nsis-qos-nslp-06.txt, May 2005
【非特許文献４】S. Lee, et al., "Applicability Statement of NSIS Protocols in Mobile Environments", draft-ietf-nsis-applicability-mobility-signaling-01.txt, February 2005
【非特許文献５】R. Hancock et al.,"Next Steps in Signaling: Framework", RFC4080, June 2005
【非特許文献６】M. Brunner (Editor), "Requirements for Signaling Protocols", RFC3726, April 2004
【非特許文献７】T.Ue,T.Sanda,K.Honma,“QoS Mobility Support with Proxy-assisted Fast Crossover Node Discovery”, WPMC2004,September 2004
【特許文献１】特許第３４４１３６７号公報（図１）
【特許文献２】特表２００２−５２８９７６号公報（段落００２４、００３２）
【０００７】
しかしながら、図１１に示すような、上記の特許文献１及び２に開示された技術におけるネットワークにおいて、ハンドオーバ直後のＱｏＳパス６４´は、ほとんど古いＱｏＳパス２４´と同じであり最適なパスではない。それゆえ、ＭＮ１０´はハンドオーバ後にＱｏＳパス３４´を再度構成する必要があり負荷がかかってしまうという問題がある。
【発明の開示】
【０００８】
本発明は、上記の問題点に鑑み、ハンドオーバ前に再構成されたＱｏＳパスができる限りハンドオーバ後の最適なＱｏＳパスとなり、ハンドオーバ後に行うＱｏＳパスの再ルート構成の負荷を低減させることができ、ハンドオーバ直後に行うＱｏＳパス設定区間が短くなり、ＱｏＳ中断時間を最小にすることができる高速ＱｏＳハンドオーバ方法及びその方法で用いられる処理ノードを提供することを目的とする。
【０００９】
上記目的を達成するために、本発明によれば、それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中の、第１のアクセスルータに接続する第１のアクセスポイントから、第２のアクセスルータに接続する第２のアクセスポイントへ接続を切り替える際のＱｏＳパスの変更による高速ＱｏＳハンドオーバ方法であって、前記移動端末が、前記ハンドオーバ後の前記ＱｏＳパスの変更処理の負荷を低減させるための所定の処理を行う処理ノードに対して、所定のＱｏＳパスを構成させるための第１のシグナリングを送信するステップと、前記第１のシグナリングを受信する前記処理ノードが、受信した前記第１のシグナリングに基づいて、前記所定のＱｏＳパスのＱｏＳ設定をするための第２のシグナリングを生成し、生成された前記第２のシグナリングを前記所定のＱｏＳパスの前記ＱｏＳ設定を行う所定の通信相手に送出するステップとを有する高速ＱｏＳハンドオーバ方法が提供される。この構成により、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【００１０】
また、本発明の高速ＱｏＳハンドオーバ方法において、前記所定のＱｏＳパスが、前記移動端末自身の通信相手の端末から、前記第２のアクセスポイントが接続されている前記第２のアクセスルータ及び前記第１のアクセスポイントが接続されている前記第１のアクセスルータを経由することは、本発明の好ましい態様である。この構成により、ハンドオーバ前に再構成されたＱｏＳパスができる限りハンドオーバ後の最適なＱｏＳパスとなることができる。
【００１１】
また、本発明の高速ＱｏＳハンドオーバ方法において、前記第１のシグナリングが前記ハンドオーバ前のＱｏＳパスの情報を含むことは、本発明の好ましい態様である。この構成により、ハンドオーバ前にＱｏＳパスを再構成することができる。
【００１２】
また、本発明の高速ＱｏＳハンドオーバ方法において、前記ハンドオーバ前のＱｏＳパスの前記情報がセッション識別情報及びフロー識別情報であることは、本発明の好ましい態様である。この構成により、ハンドオーバ前にＱｏＳパスを再構成することができる。
【００１３】
また、本発明の高速ＱｏＳハンドオーバ方法において、前記所定のＱｏＳパスが構成され、前記移動端末が前記ハンドオーバをした後、前記処理ノード、前記第１のアクセスポイントが接続されている前記第１のアクセスルータ、前記第２のアクセスポイントが接続されている前記第２のアクセスルータのうちのいずれかが、前記所定のＱｏＳパスのうち、前記第２のアクセスルータと前記ハンドオーバ前の前記移動端末が接続していた前記第１のアクセスポイントとの間のＱｏＳパスを消去することは、本発明の好ましい態様である。この構成により、不必要となったＱｏＳパスを消去でき、無駄な帯域の消費を減らすことができる。
【００１４】
また、本発明によれば、それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中の、第１のアクセスルータに接続する第１のアクセスポイントから、第２のアクセスルータに接続する第２のアクセスポイントへ接続を切り替える際のＱｏＳパスの変更による高速ＱｏＳハンドオーバ方法で用いられる処理ノードであって、所定のＱｏＳパスを構成させるための第１のシグナリングを前記移動端末から受信する受信手段と、受信された前記第１のシグナリングに基づいて、前記所定のＱｏＳパスのＱｏＳ設定をするための第２のシグナリングを生成するシグナリング生成手段と、生成された前記第２のシグナリングを前記所定のＱｏＳパスの前記ＱｏＳ設定を行う所定の通信相手に送出する送信手段とを備える処理ノードが提供される。この構成により、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【００１５】
また、本発明の処理ノードにおいて、前記所定のＱｏＳパスが、前記移動端末の通信相手の端末から、前記第２のアクセスポイントが接続されている前記第２のアクセスルータ及び前記第１のアクセスポイントが接続されている前記第１のアクセスルータを経由することは、本発明の好ましい態様である。この構成により、ハンドオーバ前に再構成されたＱｏＳパスができる限りハンドオーバ後の最適なＱｏＳパスとなることができる。
【００１６】
また、本発明の処理ノードにおいて、前記第１のシグナリングが前記ハンドオーバ前のＱｏＳパスの情報を含むことは、本発明の好ましい態様である。この構成により、ハンドオーバ前にＱｏＳパスを再構成することができる。
【００１７】
また、本発明の処理ノードにおいて、前記ハンドオーバ前のＱｏＳパスの前記情報がセッション識別情報及びフロー識別情報であることは、本発明の好ましい態様である。この構成により、ハンドオーバ前にＱｏＳパスを再構成することができる。
【００１８】
また、本発明の処理ノードにおいて、前記所定のＱｏＳパスが構成され、前記移動端末が前記ハンドオーバをした後、前記所定のＱｏＳパスのうち、前記第２のアクセスポイントが接続されている前記第２のアクセスルータと前記ハンドオーバ前の前記移動端末が接続していた前記第１のアクセスポイントとの間のＱｏＳパスを消去するパス消去手段を更に備えることは、本発明の好ましい態様である。この構成により、不必要となったＱｏＳパスを消去でき、無駄な帯域の消費を減らすことができる。
【００１９】
また、本発明によれば、それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中のアクセスルータに接続するアクセスポイントから、他のアクセスルータに接続する他のアクセスポイントへ接続を切り替え、さらにその後前記他のアクセスルータに接続する前記他のアクセスポイントを離れ、所定のアクセスルータに接続する所定アクセスポイントへ接続を切り替えていく際のＱｏＳパスの変更による高速ＱｏＳハンドオーバ方法であって、前記移動端末が、前記ハンドオーバ後の前記ＱｏＳパスの変更処理の負荷を低減させるための所定の処理を行う処理ノードに対して、所定のＱｏＳパスを構成させるための第１のシグナリングを送信するステップと、前記第１のシグナリングを受信する前記処理ノードが、受信した前記第１のシグナリングに基づいて、前記所定のＱｏＳパスのＱｏＳ設定をするための第２のシグナリングを生成し、生成された前記第２のシグナリングを前記所定のＱｏＳパスの前記ＱｏＳ設定を行う所定の通信相手に送出するステップとを有する高速ＱｏＳハンドオーバ方法が提供される。この構成により、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【００２０】
また、本発明の高速ＱｏＳハンドオーバ方法において、前記所定のＱｏＳパスが、前記移動端末自身の通信相手の端末から、前記所定アクセスポイントが接続されている前記所定のアクセスルータ、前記他のアクセスポイントから前記所定アクセスポイントへの移動の間に接続したアクセスポイントがある場合には前記接続したアクセスポイントが接続されているアクセスルータ、前記他のアクセスポイントが接続されている前記他のアクセスルータ、及び前記現在通信中のアクセスポイントが接続されている前記アクセスルータを経由することは、本発明の好ましい態様である。この構成により、ハンドオーバ前に再構成されたＱｏＳパスができる限りハンドオーバ後の最適なＱｏＳパスとなることができる。
【００２１】
また、本発明の高速ＱｏＳハンドオーバ方法において、前記第１のシグナリングが前記ハンドオーバ前のＱｏＳパスの情報を含むことは、本発明の好ましい態様である。この構成により、ハンドオーバ前にＱｏＳパスを再構成することができる。
【００２２】
また、本発明の高速ＱｏＳハンドオーバ方法において、前記ハンドオーバ前のＱｏＳパスの前記情報がセッション識別情報及びフロー識別情報であることは、本発明の好ましい態様である。この構成により、ハンドオーバ前にＱｏＳパスを再構成することができる。
【００２３】
また、本発明の高速ＱｏＳハンドオーバ方法において、前記所定のＱｏＳパスが構成され、前記移動端末が前記ハンドオーバをした後、前記処理ノード、前記移動端末のハンドオーバ前に接続していたアクセスポイントが接続されているアクセスルータ、前記移動端末のハンドオーバ後に接続するアクセスポイントが接続されているアクセスルータのうちのいずれかが、前記所定のＱｏＳパスのうち、移動先の前記アクセスルータと前記ハンドオーバ前の前記移動端末が接続していた前記アクセスポイントとの間のＱｏＳパスを消去することは、本発明の好ましい態様である。この構成により、不必要となったＱｏＳパスを消去でき、無駄な帯域の消費を減らすことができる。
【００２４】
また、本発明によれば、それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中のアクセスルータに接続するアクセスポイントから、他のアクセスルータに接続する他のアクセスポイントへ接続を切り替え、さらにその後前記他のアクセスルータに接続する前記他のアクセスポイントを離れ、所定のアクセスルータに接続する所定アクセスポイントへ接続を切り替えていく際のＱｏＳパスの変更による高速ＱｏＳハンドオーバ方法で用いられる処理ノードであって、所定のＱｏＳパスを構成させるための第１のシグナリングを前記移動端末から受信する受信手段と、受信された前記第１のシグナリングに基づいて、前記所定のＱｏＳパスのＱｏＳ設定をするための第２のシグナリングを生成するシグナリング生成手段と、生成された前記第２のシグナリングを前記所定のＱｏＳパスの前記ＱｏＳ設定を行う所定の通信相手に送出する送信手段とを備える処理ノードが提供される。この構成により、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【００２５】
また、本発明の処理ノードにおいて、前記所定のＱｏＳパスが、前記移動端末自身の通信相手の端末から、前記所定アクセスポイントが接続されている前記所定のアクセスルータ、前記他のアクセスポイントから前記所定アクセスポイントへの移動の間に接続したアクセスポイントがある場合には前記接続したアクセスポイントが接続されているアクセスルータ、前記他のアクセスポイントが接続されている前記他のアクセスルータ、及び前記現在通信中のアクセスポイントが接続されている前記アクセスルータを経由することは、本発明の好ましい態様である。この構成により、ハンドオーバ前に再構成されたＱｏＳパスができる限りハンドオーバ後の最適なＱｏＳパスとなることができる。
【００２６】
また、本発明の処理ノードにおいて、前記第１のシグナリングが前記ハンドオーバ前のＱｏＳパスの情報を含むことは、本発明の好ましい態様である。この構成により、ハンドオーバ前にＱｏＳパスを再構成することができる。
【００２７】
また、本発明の処理ノードにおいて、前記ハンドオーバ前のＱｏＳパスの前記情報がセッション識別情報及びフロー識別情報であることは、本発明の好ましい態様である。この構成により、ハンドオーバ前にＱｏＳパスを再構成することができる。
【００２８】
また、本発明の処理ノードにおいて、前記所定のＱｏＳパスが構成され、前記移動端末が前記ハンドオーバをした後、前記所定のＱｏＳパスのうち、移動先のアクセスルータと前記ハンドオーバ前の前記移動端末が接続していたアクセスポイントとの間のＱｏＳパスを消去するパス消去手段を更に備えることは、本発明の好ましい態様である。この構成により、不必要となったＱｏＳパスを消去でき、無駄な帯域の消費を減らすことができる。
【００２９】
本発明の高速ＱｏＳハンドオーバ方法及びその方法で用いられる処理ノードは、上記構成を有し、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【図面の簡単な説明】
【００３０】
【図１】本発明の第１及び第２の実施の形態における通信ネットワークの構成を示す構成図
【図２】本発明の第１の実施の形態に係る高速ＱｏＳハンドオーバ方法におけるシグナリングのシーケンスを示すシーケンスチャート
【図３】本発明の第１の実施の形態に係る処理ノードの構成を示す構成図
【図４】本発明の第２の実施の形態に係る高速ＱｏＳハンドオーバ方法におけるシグナリングのシーケンスを示すシーケンスチャート
【図５】本発明の第２の実施の形態に係る処理ノードの構成を示す構成図
【図６】本発明の第３の実施の形態における通信ネットワークの構成を示す構成図
【図７】本発明の第３の実施の形態に係る高速ＱｏＳハンドオーバ方法におけるシグナリングのシーケンスを示すシーケンスチャート
【図８】本発明の第３の実施の形態に係る処理ノードの構成を示す構成図
【図９】本発明の第３の実施の形態に係る高速ＱｏＳハンドオーバ方法におけるシグナリングの他のシーケンスを示すシーケンスチャート
【図１０】従来の通信ネットワークを示す図
【図１１】従来の通信ネットワークにおける移動端末のハンドオーバ直後のＱｏＳパスを示す図
【発明を実施するための最良の形態】
【００３１】
＜第１の実施の形態＞
以下、本発明の第１の実施の形態について図１から図３を用いて説明する。図１は本発明の第１の実施の形態における通信ネットワークの構成を示す構成図である。図２は本発明の第１の実施の形態に係る高速ＱｏＳハンドオーバ方法におけるシグナリングのシーケンスを示すシーケンスチャートである。図３は本発明の第１の実施の形態に係る処理ノードの構成を示す構成図である。【００３２】
まず、本発明の第１の実施の形態における通信ネットワークの構成について図１を用いて説明する。通信ネットワークは、ＭＮ（移動端末）１０、ＭＮ１０の通信相手のＣＮ６０、ＭＮ１０とＣＮ６０との間に位置し、ＭＮ１０とＣＮ６０との間におけるシグナリング（シグナリングメッセージとも言う）やデータパケットなどを中継するＱＮＥ１１、１２、１３、１４、それぞれのサブネット２０、３０を構成するアクセスルータであるＰＡＲ２１及びＮＡＲ３１、ＰＡＲ２１及びＮＡＲ３１に接続し、固有の通信可能領域を形成するＡＰ（Access Point）２２、２３、３２、３３から構成されている。なお、ここでの通信ネットワークの構成は一例であり、これに限られるものではない。【００３３】
ＭＮ１０は現在サブネット２０におり、無線でＡＰ２２と接続し、経路（ＱｏＳパス）２４を通じてＣＮ６０と通信をしている。すなわち、ＭＮ１０はＱｏＳパス２４上のＡＰ２２、ＰＡＲ２１、ＱＮＥ１１、ＱＮＥ１２、ＱＮＥ１３を通じてＣＮ６０と通信をしている。以下では、本発明の第１の実施の形態に係るＱｏＳパス変更に伴う処理を行う処理ノードに、サブネット３０に属するＮＡＲ３１を指定した場合について説明する。後述する第２の実施の形態では、処理ノードにサブネット２０に属するＰＡＲ２１を指定した場合について説明する。なお、処理ノードはＮＡＲ３１やＰＡＲ２１に限られるものではなく、他のＱＮＥ（プロキシ）などであってもよい。【００３４】
ＭＮ１０がサブネット２０からサブネット３０へ移動（ハンドオーバ）する場合、ＭＮ１０は、ハンドオーバ前にＮＡＲ３１に対して、ＣＮ６０からＮＡＲ３１及びＡＰ２２が接続されているＰＡＲ２１を経由した経路（ＱｏＳパス）６４（ここでは、ＣＮ６０からＡＰ２２までの経路）を構成させるためのシグナリングを送信する。このシグナリングには、現在のＱｏＳパス２４のセッションＩＤ及びフローＩＤのようなＱｏＳパス情報が含まれている。具体的には、図１に示すような、例えばＱｏＳパス２４のセッションＩＤであるＹとフローＩＤであるＸがシグナリングには含まれる。なお、ＭＮ１０のハンドオーバ後の新たな経路（ＱｏＳパス）３４のセッションＩＤはＹであり、フローＩＤはＺである。上述したように、セッションＩＤはＭＮ１０の移動によっても同じままである。【００３５】
シグナリングを受信したＮＡＲ３１は２つの処理を開始する。１つ目の処理は、ＮＡＲ３１からＣＮ６０に向かってＱｏＳパスを構成する処理である。具体的には、ＮＡＲ３１はＣＮ６０（上述した所定の通信相手に相当）に向かってＱｏＳパスの構成（ＱｏＳの状態設定）をするためのシグナリングを送信する。そして、ＮＡＲ３１とＣＮ６０との間に位置するＱＮＥ１４、ＱＮＥ１２、ＱＮＥ１３では、送信されるシグナリングに基づく新たなＱｏＳパスの状態設定が行われ、ＣＮ６０とＮＡＲ３１との間にＱｏＳパス（経路６４の一部のＱｏＳパス）が構成される。構成されるＱｏＳパスは、ＮＡＲ３１とＣＮ６０との間の最適なパスとなる。【００３６】
２つ目の処理は、ＮＡＲ３１からＰＡＲ２１に向かって一時的なＱｏＳパス（ＡＰ２２までのＱｏＳパス）を構成する処理である。具体的には、ＮＡＲ３１はＰＡＲ２１（上述した所定の通信相手に相当）に向かって一時的なＱｏＳパスの構成（ＱｏＳの状態設定）をするためのシグナリングを送信する。そして、送信されるシグナリングにより一時的なＱｏＳパスの状態設定が行われ、ＡＰ２２とＮＡＲ３１との間に一時的なＱｏＳパス（経路６４の一部）が構成される。構成される一時的なＱｏＳパスは、ＭＮ１０のハンドオーバが完了するとＮＡＲ３１若しくはＰＡＲ２１などによって消去される。これにより、不要となったＱｏＳパスによる帯域の無駄な消費を防ぐことができる。以下に、上述した処理におけるシグナリングのシーケンスについて図２を用いて説明する。【００３７】
図２に示すように、ＭＮ１０とＣＮ６０との間には既にＱｏＳパス２４（古いＱｏＳパス）が構成されている。この状態から、ＭＮ１０がハンドオーバをすると決定すると、ＭＮ１０はＮＡＲ３１に対してセッションＩＤ及びフローＩＤを含むシグナリングを送信する（ステップＳ２０１）。なお、送信されるシグナリングには、再ルート構成されるＱｏＳパス６４と、ＭＮ１０のハンドオーバ後の新たなＱｏＳパス３４との分岐点になるようリクエストする情報を含めるようにしてもよい。【００３８】
ＭＮ１０からのシグナリングを受信したＮＡＲ３１は、ＮＡＲ３１からＡＰ２２までの一時的なＱｏＳパスの構成（ＱｏＳの状態設定）のためのシグナリングをＰＡＲ２１に送信し（ステップＳ２０２）、ＮＡＲ３１からＣＮ６０までのＱｏＳパスの構成（ＱｏＳの状態設定）のためのシグナリングをＣＮ６０に送信する（ステップＳ２０３）。これらのシグナリングにより再ルート構成されたＱｏＳパス６４の状態設定が行われ、ＣＮ６０とＡＰ２２との間にＱｏＳパス６４が構成される。そして、ＭＮ１０がハンドオーバを開始して完了すると、ＮＡＲ３１からＡＰ２２までの一時的なＱｏＳパスは消去され、ＣＮ６０とＡＰ３２との間に新たなＱｏＳパス３４が構成される。このように構成されることにより、ＭＮ１０のハンドオーバ後のＱｏＳパスができる限り最適なＱｏＳパスとなり、ハンドオーバ後に行うＱｏＳパスの再ルート構成の負荷を低減させることができる。また、ハンドオーバ直後に行うＱｏＳパス設定区間は、従来では図１１に示すようにＰＡＲ２１´−ＮＡＲ３１´−ＡＰ３２´−ＭＮ１０´であるのに対し、本発明の第１の実施の形態では図１に示すようにＮＡＲ３１−ＡＰ３２−ＭＮ１０と短くなる。このため、ＱｏＳパス構成に要する時間が短くなり、ＱｏＳ中断時間も短くすることができる。また、生成されるＱｏＳパスがＰＡＲ２１及びＮＡＲ３１の双方を通っているため、ＰＡＲ２１とＮＡＲ３１との間でＭＮ１０が行ったり来たりする、いわゆる“ピンポン現象”においても有用である。【００３９】
次に、本発明の第１の実施の形態に係る処理ノードの構成について図３を用いて説明する。以下では、処理ノードとしてＭＮ１０のハンドオーバ後のサブネット３０に属するＮＡＲ３１を例にとって説明する。図３に示すように、ＮＡＲ３１は、受信手段３０１、送信手段３０２、シグナリング生成手段３０３、パス消去手段３０４、記憶手段３０５から構成されている。受信手段３０１は、上述したＭＮ１０からのＱｏＳパス６４の構成のためのシグナリングや、ＣＮ６０とＭＮ１０との間でやりとりされるパケットなどを受信するものである。送信手段３０２は、後述するシグナリング生成手段３０３によって生成されたＱｏＳパス６４を構成するためのシグナリングや、ＣＮ６０とＭＮ１０との間でやりとりされるパケットなどを送信するものである。【００４０】
シグナリング生成手段３０３は、受信手段３０１によって受信された、ＭＮ１０から送信されるＱｏＳパス６４を構成するためのシグナリングに基づいて、ＣＮ６０とＮＡＲ３１との間のＱｏＳパス及びＮＡＲ３１とＡＰ２２との間のＱｏＳパスを構成するためのシグナリングをそれぞれ生成するものである。パス消去手段３０４は、ＣＮ６０とＡＰ２２との間にＱｏＳパス６４が構成された後にＭＮ１０がハンドオーバを完了した場合に、ＮＡＲ３１からＡＰ２２までの一時的なＱｏＳパスを消去するものである。なお、この一時的なＱｏＳパスの消去はＰＡＲ２１や他の装置などが行うようにしてもよい。記憶手段３０５は、ＮＡＲ３１の動作を制御するための制御プログラムや、ＮＡＲ３１が処理を行う際に生じるデータなどの情報を格納するものである。【００４１】
＜第２の実施の形態＞
以下、本発明の第２の実施の形態について図４及び図５を用いて説明する。図４は本発明の第２の実施の形態に係る高速ＱｏＳハンドオーバ方法におけるシグナリングのシーケンスを示すシーケンスチャートである。図５は本発明の第２の実施の形態に係る処理ノードの構成を示す構成図である。【００４２】
第２の実施の形態では、上述したように処理ノードに、サブネット２０に属するＰＡＲ２１を指定した場合について説明する。なお、第２の実施の形態における通信ネットワークは、第１の実施の形態における通信ネットワークと同様のものとする。第２の実施の形態の場合のシグナリングシーケンスについて図４を用いて説明する。図４に示すように、ハンドオーバをする前には、ＭＮ１０とＣＮ６０との間には経路（古いＱｏＳパス）２４が構成されている。【００４３】
この状態から、ＭＮ１０がハンドオーバをすると決定すると、ＭＮ１０はシグナリング（セッションＩＤ、フローＩＤなどを含む）をＰＡＲ２１に対して送信する（ステップＳ４０１）。そして、シグナリングを受け取ったＰＡＲ２１は、ＮＡＲ３１（上述した所定の通信相手に相当）に向けてＱｏＳの状態設定のためのシグナリングを送信する（ステップＳ４０２）。そのシグナリングを受け取ったＮＡＲ３１は、ＣＮ６０に向けて同様にＱｏＳの状態設定のためのシグナリングを送信する（ステップＳ４０３）。これにより、ＮＡＲ３１とＣＮ６０との間に位置するＱＮＥ１４、ＱＮＥ１２、ＱＮＥ１３では、送信されるシグナリングに基づく新たなＱｏＳパスの状態設定が行われ、再ルート構成されたＱｏＳパス６４がＣＮ６０とＡＰ２２との間に構成される。【００４４】
そして、ＭＮ１０がハンドオーバを実際に開始し完了すると、ＮＡＲ３１からＡＰ２２までの一時的なＱｏＳパスは消去され、ＣＮ６０とＡＰ３２との間に新たなＱｏＳパス３４が構成される。このように構成されることにより、ＭＮ１０のハンドオーバ後のＱｏＳパスができる限り最適なＱｏＳパスとなり、ハンドオーバ後に行うＱｏＳパスの再ルート構成の負荷を低減させることができる。また、ハンドオーバ直後に行うＱｏＳパス設定区間は、従来では図１１に示すようにＰＡＲ２１´−ＮＡＲ３１´−ＡＰ３２´−ＭＮ１０´であるのに対し、本発明の第２の実施の形態では図１に示すようにＮＡＲ３１−ＡＰ３２−ＭＮ１０と短くなる。このため、ＱｏＳパス構成に要する時間が短くなり、ＱｏＳ中断時間も短くすることができる。また、生成されるＱｏＳパスがＰＡＲ２１及びＮＡＲ３１の双方を通っているため、ＰＡＲ２１とＮＡＲ３１との間でＭＮ１０が行ったり来たりする、いわゆる“ピンポン現象”においても有用である。【００４５】
次に、本発明の第２の実施の形態に係る処理ノードの構成について図５を用いて説明する。以下では、処理ノードとしてＭＮ１０のハンドオーバ前のサブネット２０に属するＰＡＲ２１を例にとって説明する。図５に示すように、ＰＡＲ２１は、受信手段５０１、送信手段５０２、シグナリング生成手段５０３、パス消去手段５０４、記憶手段５０５から構成されている。受信手段５０１は、上述したＭＮ１０からのＱｏＳパス６４の構成のためのシグナリングや、ＣＮ６０とＭＮ１０との間でやりとりされるパケットなどを受信するものである。送信手段５０２は、後述するシグナリング生成手段５０３によって生成されたＱｏＳパス６４を構成するためのシグナリングや、ＣＮ６０とＭＮ１０との間でやりとりされるパケットなどを送信するものである。【００４６】
シグナリング生成手段５０３は、受信手段５０１によって受信された、ＭＮ１０から送信されるＱｏＳパス６４を構成するためのシグナリングに基づいて、ＣＮ６０とＡＰ２２との間のＱｏＳパスを構成するためのシグナリングを生成するものである。そして、生成されたシグナリングを受信するＮＡＲ３１は、受信したシグナリングに基づいて、ＣＮ６０とＮＡＲ３１自身との間のＱｏＳパスを構成するためのシグナリングを生成してＣＮ６０へ送信する。【００４７】
パス消去手段５０４は、ＣＮ６０とＡＰ２２との間にＱｏＳパス６４が構成された後にＭＮ１０がハンドオーバを開始して完了した場合に、ＮＡＲ３１からＡＰ２２までの一時的なＱｏＳパスを消去するものである。なお、この一時的なＱｏＳパスの消去はＮＡＲ３１や他の装置などが行うようにしてもよい。記憶手段５０５は、ＰＡＲ２１の動作を制御するための制御プログラムや、ＰＡＲ２１が処理を行う際に生じるデータなどの情報を格納するものである。【００４８】
＜第３の実施の形態＞
以下、本発明の第３の実施の形態について図６から図９を用いて説明する。図６は本発明の第３の実施の形態における通信ネットワークの構成を示す構成図である。図７は本発明の第３の実施の形態に係る高速ＱｏＳハンドオーバ方法におけるシグナリングのシーケンスを示すシーケンスチャートである。図８は本発明の第３の実施の形態に係る処理ノードの構成を示す構成図である。図９は本発明の第３の実施の形態に係る高速ＱｏＳハンドオーバ方法におけるシグナリングの他のシーケンスを示すシーケンスチャートである。【００４９】
まず、本発明の第３の実施の形態における通信ネットワークの構成について図６を用いて説明する。通信ネットワークは、ＭＮ（移動端末）６１０、ＭＮ６１０の通信相手のＣＮ６６０、ＭＮ６１０とＣＮ６６０との間に位置し、ＭＮ６１０とＣＮ６６０との間におけるシグナリング（シグナリングメッセージとも言う）やデータパケットなどを中継するＱＮＥ６１１、６１２、６１３、６１４、６１５、それぞれのサブネット６２０、６３０、６４０を構成するアクセスルータであるＰＡＲ６２１、[ＮＡＲ１]６３１、[ＮＡＲ２]６４１、そしてＰＡＲ６２１、[ＮＡＲ１]６３１、[ＮＡＲ２]６４１それぞれに接続し、固有の通信可能領域を形成するＡＰ（Access Point）６２２、６２３、６３２、６３３、６４２、６４３から構成されている。なお、ここでの通信ネットワークの構成は一例であり、これに限られるものではない。【００５０】
ＭＮ６１０は現在サブネット６２０におり、無線でＡＰ６２２と接続し、経路（ＱｏＳパス）６２４を通じてＣＮ６６０と通信をしている。すなわち、ＭＮ６１０はＱｏＳパス６２４上のＡＰ６２２、ＰＡＲ６２１、ＱＮＥ６１１、ＱＮＥ６１２、ＱＮＥ６１３を通じてＣＮ６６０と通信をしている。以下では、本発明の第３の実施の形態に係るＱｏＳパス変更に伴う処理を行う処理ノードに、サブネット６４０に属する[ＮＡＲ２]６４１を指定した場合について説明する。なお、処理ノードにサブネット６２０に属するＰＡＲ６２１を指定した場合については後述する。なお、処理ノードは[ＮＡＲ１]６３１、[ＮＡＲ２]６４１、ＰＡＲ６２１に限られるものではなく、他のＱＮＥ（プロキシ）などであってもよい。【００５１】
ＭＮ６１０がサブネット６２０からサブネット６３０へ移動（ハンドオーバ）する場合、ＭＮ６１０は、ハンドオーバ前に[ＮＡＲ２]６４１に対して、ＣＮ６６０から[ＮＡＲ２]６４１、[ＮＡＲ１]６３１、及びＡＰ６２２が接続されているＰＡＲ６２１を経由した経路（ＱｏＳパス）６６４（ここでは、ＣＮ６６０からＡＰ６２２までの経路）を構成させるためのシグナリングを送信する。このシグナリングには、現在のＱｏＳパス６２４のセッションＩＤ及びフローＩＤのようなＱｏＳパス情報が含まれている。具体的には、図６に示すような、例えばＱｏＳパス６２４のセッションＩＤであるＹとフローＩＤであるＸがシグナリングには含まれる。なお、ＭＮ６１０のハンドオーバ後の新たな経路（ＱｏＳパス）６３４のセッションＩＤはＹであり、フローＩＤはＺである。上述したように、セッションＩＤはＭＮ６１０の移動によっても同じままである。【００５２】
シグナリングを受信した[ＮＡＲ２]６４１は２つの処理を開始する。１つ目の処理は、[ＮＡＲ２]６４１からＣＮ６６０（上述した所定の通信相手に相当）に向かってＱｏＳパスを構成する処理である。具体的には、[ＮＡＲ２]６４１はＣＮ６６０に向かってＱｏＳパスの構成（ＱｏＳの状態設定）をするためのシグナリングを送信する。そして、[ＮＡＲ２]６４１とＣＮ６６０との間に位置するＱＮＥ６１５、ＱＮＥ６１２、ＱＮＥ６１３では、送信されるシグナリングに基づく新たなＱｏＳパスの状態設定が行われ、ＣＮ６６０と[ＮＡＲ２]６４１との間にＱｏＳパス（経路６６４の一部のＱｏＳパス）が構成される。構成されるＱｏＳパスは、[ＮＡＲ２]６４１とＣＮ６６０との間の最適なパスとなる。【００５３】
２つ目の処理は、[ＮＡＲ２]６４１からＰＡＲ６２１（上述した所定の通信相手に相当）に向かって[ＮＡＲ１]６３１を経由した一時的なＱｏＳパス（ＡＰ６２２までのＱｏＳパス）を構成する処理である。具体的には、[ＮＡＲ２]６４１は[ＮＡＲ１]６３１を経由させてＰＡＲ６２１に向かって一時的なＱｏＳパスの構成（ＱｏＳの状態設定）をするためのシグナリングを送信する。そして、送信されるシグナリングにより一時的なＱｏＳパスの状態設定が行われ、ＡＰ６２２と[ＮＡＲ２]６４１との間に一時的なＱｏＳパス（経路６６４の一部）が構成される。このように、例えば２つ先の[ＮＡＲ２]６４１が分かっている場合、[ＮＡＲ２]６４１をパス上に含めることにより、１つ先の[ＮＡＲ１]６３１においてパス変更の処理を省略することができる。また、構成される一時的なＱｏＳパスのうちの[ＮＡＲ１]６３１からＡＰ６２２の一部のＱｏＳパスは、ＭＮ６１０のハンドオーバが完了すると[ＮＡＲ１]６３１若しくはＰＡＲ６２１などによって消去される。これにより、不要となったＱｏＳパスによる帯域の無駄な消費を防ぐことができる。以下に、上述した処理におけるシグナリングのシーケンスについて図７を用いて説明する。【００５４】
図７に示すように、ＭＮ６１０とＣＮ６６０との間には既にＱｏＳパス６２４（古いＱｏＳパス）が構成されている。この状態から、ＭＮ６１０がハンドオーバをすると決定すると、ＭＮ６１０は[ＮＡＲ２]６４１に対してセッションＩＤ及びフローＩＤを含むシグナリングを送信する（ステップＳ７０１）。【００５５】
ＭＮ６１０からのシグナリングを受信した[ＮＡＲ２]６４１は、[ＮＡＲ２]６４１からＡＰ６２２までのＱｏＳパスの構成（ＱｏＳの状態設定）のためのシグナリングを[ＮＡＲ１]６３１に送信し（ステップＳ７０２）、シグナリングを受信した[ＮＡＲ１]６３１は受信したシグナリングをＰＡＲ６２１に送信する（ステップＳ７０３）。また、[ＮＡＲ２]６４１は、[ＮＡＲ２]６４１からＣＮ６６０までのＱｏＳパスの構成（ＱｏＳの状態設定）のためのシグナリングをＣＮ６６０に送信する（ステップＳ７０４）。これらのシグナリングにより再ルート構成されたＱｏＳパス６６４の状態設定が行われ、ＣＮ６６０とＡＰ６２２との間にＱｏＳパス６６４が構成される。そして、ＭＮ６１０がハンドオーバを開始して完了すると、[ＮＡＲ１]６３１からＡＰ６２２までのＱｏＳパスは消去され、ＣＮ６６０とＡＰ６３２との間に新たなＱｏＳパス６３４（新たなＱｏＳパスａ）が構成される。さらにその後ＭＮ６１０がＡＰ６３２からＡＰ６４２へのハンドオーバを完了させると、[ＮＡＲ２]６４１からＡＰ６３２との間のＱｏＳパスは消去され、ＣＮ６６０とＡＰ６４２との間に新たなＱｏＳパス（経路）６４４（新たなＱｏＳパスｂ）が構成される。【００５６】
このように構成されることにより、ＭＮ６１０のハンドオーバ後のＱｏＳパスができる限り最適なＱｏＳパスとなり、ハンドオーバ後に行うＱｏＳパスの再ルート構成の負荷を低減させることができる。また、ハンドオーバ直後に行うＱｏＳパス設定区間は、従来ではＰＡＲ６２１−ＮＡＲ６３１−ＡＰ６３２−ＭＮ６１０であるのに対し、本発明の第３の実施の形態では図６に示すように[ＮＡＲ１]６３１−ＡＰ６３２−ＭＮ６１０と短くなる。このため、ＱｏＳパス構成に要する時間が短くなり、ＱｏＳ中断時間も短くすることができる。また、生成されるＱｏＳパスがＰＡＲ６２１、[ＮＡＲ１]６３１、[ＮＡＲ２]６４１を通っているため、ＰＡＲ６２１、[ＮＡＲ１]６３１、[ＮＡＲ２]６４１の間でＭＮ６１０が行ったり来たりする、いわゆる“ピンポン現象”においても有用である。【００５７】
次に、本発明の第３の実施の形態に係る処理ノードの構成について図８を用いて説明する。以下では、処理ノードとしてサブネット６４０に属する[ＮＡＲ２]６４１を例にとって説明する。図８に示すように、[ＮＡＲ２]６４１は、受信手段８０１、送信手段８０２、シグナリング生成手段８０３、パス消去手段８０４、記憶手段８０５から構成されている。受信手段８０１は、上述したＭＮ６１０からのＱｏＳパス６６４の構成のためのシグナリングや、ＣＮ６６０とＭＮ６１０との間でやりとりされるパケットなどを受信するものである。送信手段８０２は、後述するシグナリング生成手段８０３によって生成されたＱｏＳパス６６４を構成するためのシグナリングや、ＣＮ６６０とＭＮ６１０との間でやりとりされるパケットなどを送信するものである。【００５８】
シグナリング生成手段８０３は、受信手段８０１によって受信された、ＭＮ６１０から送信されるＱｏＳパス６６４を構成するためのシグナリングに基づいて、ＣＮ６６０と[ＮＡＲ２]６４１との間のＱｏＳパス及び[ＮＡＲ２]６４１とＡＰ６２２との間のＱｏＳパスを構成するためのシグナリングをそれぞれ生成するものである。パス消去手段８０４は、例えばＣＮ６６０とＡＰ６２２との間にＱｏＳパス６６４が構成された後にＭＮ６１０がハンドオーバを繰り返し、サブネット６３０内のＡＰ６３２からサブネット６４０内のＡＰ６４２へのハンドオーバが完了した場合に、[ＮＡＲ２]６４１から[ＮＡＲ１]６３１までの一時的なＱｏＳパスを消去するものである。なお、この一時的なＱｏＳパスの消去は[ＮＡＲ１]６３１や他の装置などが行うようにしてもよい。記憶手段８０５は、[ＮＡＲ２]６４１の動作を制御するための制御プログラムや、[ＮＡＲ２]６４１が処理を行う際に生じるデータなどの情報を格納するものである。【００５９】
次に、上述したように処理ノードにサブネット６２０に属するＰＡＲ６２１を指定した場合のシグナリングのシーケンスについて図９を用いて説明する。まず、図９に示すように、ＭＮ６１０とＣＮ６６０との間には既にＱｏＳパス６２４（古いＱｏＳパス）が構成されている。この状態から、ＭＮ６１０がハンドオーバをすると決定すると、ＭＮ６１０はＰＡＲ６２１に対してセッションＩＤ及びフローＩＤを含むシグナリングを送信する（ステップＳ９０１）。【００６０】
ＭＮ６１０からのシグナリングを受信したＰＡＲ６２１は、ＰＡＲ６２１（ＡＰ６２２）からＣＮ６６０までのＱｏＳパスの構成（ＱｏＳの状態設定）のためのシグナリングをＣＮ６６０（上述した所定の通信相手に相当）に向けて[ＮＡＲ１]６３１に送信する（ステップ９０２）。シグナリングを受信した[ＮＡＲ１]６３１は受信したシグナリングを[ＮＡＲ２]６４１へ送信し（ステップＳ９０３）、シグナリングを受信した[ＮＡＲ２]６４１は受信したシグナリングをＣＮ６６０に送信する（ステップＳ９０４）。これらのシグナリングにより再ルート構成されたＱｏＳパス６６４の状態設定が行われ、ＣＮ６６０とＡＰ６２２との間にＱｏＳパス６６４が構成される。そして、ＭＮ６１０がハンドオーバを開始して完了すると、[ＮＡＲ１]６３１からＡＰ６２２までのＱｏＳパスは消去され、ＣＮ６６０とＡＰ６３２との間に新たなＱｏＳパス６３４（新たなＱｏＳパスａ）が構成される。さらにその後ＭＮ６１０がＡＰ６３２からＡＰ６４２へのハンドオーバを完了させると、[ＮＡＲ２]６４１からＡＰ６３２との間のＱｏＳパスは消去され、ＣＮ６６０とＡＰ６４２との間に新たなＱｏＳパス６４４（新たなＱｏＳパスｂ）が構成される。このように構成されることにより、例えば２つ先の[ＮＡＲ２]６４１が分かっている場合、[ＮＡＲ２]６４１をパス上に含めることにより、１つ先の[ＮＡＲ１]６３１においてパス変更の処理を省略することができる。【００６１】
以上、本発明の各実施の形態について説明した。なお、上記各実施の形態の説明に用いた各機能ブロックは、典型的には集積回路であるＬＳＩとして実現される。これらは個別に１チップ化されてもよいし、一部又はすべてを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。さらには、半導体技術の進歩又は派生する別技術によりＬＳＩに置き換わる集積回路化の技術が登場すれば、当然、その技術を用いて機能ブロックの集積化を行ってもよい。例えばバイオ技術の適応などが可能性としてあり得る。
【産業上の利用可能性】
【００６２】
本発明に係る高速ＱｏＳハンドオーバ方法及びその方法で用いられる処理ノードは、ハンドオーバ前に再構成されたＱｏＳパスができる限りハンドオーバ後の最適なＱｏＳパスとなり、ハンドオーバ後に行うＱｏＳパスの再ルート構成の負荷を低減させることができ、また、ハンドオーバ直後に行うＱｏＳパス設定区間が短くなり、ＱｏＳ中断時間を最小にすることができるため、無線通信を行う移動端末（モバイルノード）の高速ＱｏＳハンドオーバ方法及びその方法で用いられる処理ノードに利用することができ、特に、次世代インターネットプロトコルであるモバイルＩＰｖ６（Mobile Internet Protocol version 6）プロトコルを利用した無線通信を行うモバイルノードにおける高速ＱｏＳハンドオーバ方法及びその方法で用いられる処理ノードに有用である。
【図１】
2007119598.tif 000003
【図２】
2007119598.tif 000004
【図３】
2007119598.tif 000005
【図４】
2007119598.tif 000006
【図５】
2007119598.tif 000007
【図６】
2007119598.tif 000008
【図７】
2007119598.tif 000009
【図８】
2007119598.tif 000010
【図９】
2007119598.tif 000011
【図１０】
2007119598.tif 000012
【図１１】
2007119598.tif 000013
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中の、第１のアクセスルータに接続する第１のアクセスポイントから、第２のアクセスルータに接続する第２のアクセスポイントへ接続を切り替える際のＱｏＳパスの変更による高速ＱｏＳハンドオーバ方法であって、
前記移動端末が、前記ハンドオーバ後の前記ＱｏＳパスの変更処理の負荷を低減させるための所定の処理を行う処理ノードに対して、所定のＱｏＳパスを構成させるための第１のシグナリングを送信するステップと、
前記第１のシグナリングを受信する前記処理ノードが、受信した前記第１のシグナリングに基づいて、前記所定のＱｏＳパスのＱｏＳ設定をするための第２のシグナリングを生成し、生成された前記第２のシグナリングを前記所定のＱｏＳパスの前記ＱｏＳ設定を行う所定の通信相手に送出するステップとを、
有する高速ＱｏＳハンドオーバ方法。
【請求項２】
前記所定のＱｏＳパスは、前記移動端末自身の通信相手の端末から、前記第２のアクセスポイントが接続されている前記第２のアクセスルータ及び前記第１のアクセスポイントが接続されている前記第１のアクセスルータを経由する請求項１に記載の高速ＱｏＳハンドオーバ方法。
【請求項３】
前記第１のシグナリングは、前記ハンドオーバ前のＱｏＳパスの情報を含む請求項１に記載の高速ＱｏＳハンドオーバ方法。
【請求項４】
前記ハンドオーバ前のＱｏＳパスの前記情報は、セッション識別情報及びフロー識別情報である請求項３に記載の高速ＱｏＳハンドオーバ方法。
【請求項５】
前記所定のＱｏＳパスが構成され、前記移動端末が前記ハンドオーバをした後、前記処理ノード、前記第１のアクセスポイントが接続されている前記第１のアクセスルータ、前記第２のアクセスポイントが接続されている前記第２のアクセスルータのうちのいずれかが、前記所定のＱｏＳパスのうち、前記第２のアクセスルータと前記ハンドオーバ前の前記移動端末が接続していた前記第１のアクセスポイントとの間のＱｏＳパスを消去する請求項１に記載の高速ＱｏＳハンドオーバ方法。
【請求項６】
それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中の、第１のアクセスルータに接続する第１のアクセスポイントから、第２のアクセスルータに接続する第２のアクセスポイントへ接続を切り替える際のＱｏＳパスの変更による高速ＱｏＳハンドオーバ方法で用いられる処理ノードであって、
所定のＱｏＳパスを構成させるための第１のシグナリングを前記移動端末から受信する受信手段と、
受信された前記第１のシグナリングに基づいて、前記所定のＱｏＳパスのＱｏＳ設定をするための第２のシグナリングを生成するシグナリング生成手段と、
生成された前記第２のシグナリングを前記所定のＱｏＳパスの前記ＱｏＳ設定を行う所定の通信相手に送出する送信手段とを、
備える処理ノード。
【請求項７】
前記所定のＱｏＳパスは、前記移動端末の通信相手の端末から、前記第２のアクセスポイントが接続されている前記第２のアクセスルータ及び前記第１のアクセスポイントが接続されている前記第１のアクセスルータを経由する請求項６に記載の処理ノード。
【請求項８】
前記第１のシグナリングは、前記ハンドオーバ前のＱｏＳパスの情報を含む請求項６に記載の処理ノード。
【請求項９】
前記ハンドオーバ前のＱｏＳパスの前記情報は、セッション識別情報及びフロー識別情報である請求項８に記載の処理ノード。
【請求項１０】
前記所定のＱｏＳパスが構成され、前記移動端末が前記ハンドオーバをした後、前記所定のＱｏＳパスのうち、前記第２のアクセスポイントが接続されている前記第２のアクセスルータと前記ハンドオーバ前の前記移動端末が接続していた前記第１のアクセスポイントとの間のＱｏＳパスを消去するパス消去手段を更に備える請求項６に記載の処理ノード。
【請求項１１】
それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中のアクセスルータに接続するアクセスポイントから、他のアクセスルータに接続する他のアクセスポイントへ接続を切り替え、さらにその後前記他のアクセスルータに接続する前記他のアクセスポイントを離れ、所定のアクセスルータに接続する所定アクセスポイントへ接続を切り替えていく際のＱｏＳパスの変更による高速ＱｏＳハンドオーバ方法であって、
前記移動端末が、前記ハンドオーバ後の前記ＱｏＳパスの変更処理の負荷を低減させるための所定の処理を行う処理ノードに対して、所定のＱｏＳパスを構成させるための第１のシグナリングを送信するステップと、
前記第１のシグナリングを受信する前記処理ノードが、受信した前記第１のシグナリングに基づいて、前記所定のＱｏＳパスのＱｏＳ設定をするための第２のシグナリングを生成し、生成された前記第２のシグナリングを前記所定のＱｏＳパスの前記ＱｏＳ設定を行う所定の通信相手に送出するステップとを、
有する高速ＱｏＳハンドオーバ方法。
【請求項１２】
前記所定のＱｏＳパスは、前記移動端末自身の通信相手の端末から、前記所定アクセスポイントが接続されている前記所定のアクセスルータ、前記他のアクセスポイントから前記所定アクセスポイントへの移動の間に接続したアクセスポイントがある場合には前記接続したアクセスポイントが接続されているアクセスルータ、前記他のアクセスポイントが接続されている前記他のアクセスルータ、及び前記現在通信中のアクセスポイントが接続されている前記アクセスルータを経由する請求項１１に記載の高速ＱｏＳハンドオーバ方法。
【請求項１３】
前記第１のシグナリングは、前記ハンドオーバ前のＱｏＳパスの情報を含む請求項１１に記載の高速ＱｏＳハンドオーバ方法。
【請求項１４】
前記ハンドオーバ前のＱｏＳパスの前記情報は、セッション識別情報及びフロー識別情報である請求項１３に記載の高速ＱｏＳハンドオーバ方法。
【請求項１５】
前記所定のＱｏＳパスが構成され、前記移動端末が前記ハンドオーバをした後、前記処理ノード、前記移動端末のハンドオーバ前に接続していたアクセスポイントが接続されているアクセスルータ、前記移動端末のハンドオーバ後に接続するアクセスポイントが接続されているアクセスルータのうちのいずれかが、前記所定のＱｏＳパスのうち、移動先の前記アクセスルータと前記ハンドオーバ前の前記移動端末が接続していた前記アクセスポイントとの間のＱｏＳパスを消去する請求項１１に記載の高速ＱｏＳハンドオーバ方法。
【請求項１６】
それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中のアクセスルータに接続するアクセスポイントから、他のアクセスルータに接続する他のアクセスポイントへ接続を切り替え、さらにその後前記他のアクセスルータに接続する前記他のアクセスポイントを離れ、所定のアクセスルータに接続する所定アクセスポイントへ接続を切り替えていく際のＱｏＳパスの変更による高速ＱｏＳハンドオーバ方法で用いられる処理ノードであって、
所定のＱｏＳパスを構成させるための第１のシグナリングを前記移動端末から受信する受信手段と、
受信された前記第１のシグナリングに基づいて、前記所定のＱｏＳパスのＱｏＳ設定をするための第２のシグナリングを生成するシグナリング生成手段と、
生成された前記第２のシグナリングを前記所定のＱｏＳパスの前記ＱｏＳ設定を行う所定の通信相手に送出する送信手段とを、
備える処理ノード。
【請求項１７】
前記所定のＱｏＳパスは、前記移動端末自身の通信相手の端末から、前記所定アクセスポイントが接続されている前記所定のアクセスルータ、前記他のアクセスポイントから前記所定アクセスポイントへの移動の間に接続したアクセスポイントがある場合には前記接続したアクセスポイントが接続されているアクセスルータ、前記他のアクセスポイントが接続されている前記他のアクセスルータ、及び前記現在通信中のアクセスポイントが接続されている前記アクセスルータを経由する請求項１６に記載の処理ノード。
【請求項１８】
前記第１のシグナリングは、前記ハンドオーバ前のＱｏＳパスの情報を含む請求項１６に記載の処理ノード。
【請求項１９】
前記ハンドオーバ前のＱｏＳパスの前記情報は、セッション識別情報及びフロー識別情報である請求項１８に記載の処理ノード。
【請求項２０】
前記所定のＱｏＳパスが構成され、前記移動端末が前記ハンドオーバをした後、前記所定のＱｏＳパスのうち、移動先のアクセスルータと前記ハンドオーバ前の前記移動端末が接続していたアクセスポイントとの間のＱｏＳパスを消去するパス消去手段を更に備える請求項１６に記載の処理ノード。
【手続補正２】
【補正対象書類名】明細書
【補正対象項目名】全文
【補正方法】変更
【補正の内容】
【発明の詳細な説明】
【技術分野】
【０００１】
本発明は、無線通信を行う移動端末（モバイルノード）の高速ＱｏＳハンドオーバ方法及びその方法で用いられる処理ノードに関し、特に、次世代インターネットプロトコルであるモバイルＩＰｖ６（Mobile Internet Protocol version 6）プロトコルを利用した無線通信を行うモバイルノードにおける高速ＱｏＳハンドオーバ方法及びその方法で用いられる処理ノードに関する。
【背景技術】
【０００２】
新たなシグナリングプロトコルとして、ＮＳＩＳ（Next Step In Signaling）がＩＥＴＦのＮＳＩＳワーキンググループによって標準化されつつある（下記の非特許文献１を参照）。ＮＳＩＳはＱｏＳ（Quality of Service）リソース予約において特に有効であると期待されている。最近のインターネットドラフトには、一般的なＮＳＩＳ（下記の非特許文献５及び６を参照）だけでなく、他のＮＳＩＳにおけるＱｏＳシグナリングやモビリティサポートの実施の必要性や提案が記載されている（下記の非特許文献２から４を参照）。ネットワークにおけるルータ若しくはターミナルのすべてがＮＳＩＳ  Ｅｎｔｉｔｉｅｓ（ＮＥ）ではないが、ＮＥはＮＳＩＳ機能を有している。なお、ＮＥのすべてがモビリティ機能におけるＱｏＳをサポートするわけではない。ここでは、ＱｏＳ機能を有するＮＥをＱＮＥ（QoS NE）と呼ぶ。
【０００３】
ＱｏＳリソースは、転送されるデータを通すパスに沿ってそれぞれのＱＮＥで予約される。パス上で保証されたＱｏＳのパケットを識別するためにフローＩＤが用いられる。フローＩＤはデータ送信側と受信側のＩＰアドレスを含んでいる（下記の非特許文献５を参照）ので、フローＩＤはＩＰアドレスがハンドオーバなどのモビリティの移動により変わると変化する。一方、セッションＩＤはＭＮ（Mobile Node）とＣＮ（Correspondent Node）との間のセッションを識別するために用いられる。そのため、セッションＩＤはフローＩＤがモビリティの移動により変化しても同じままである。
【０００４】
ここで、図１０に示すように、ハンドオーバが起こると、経路（古いパス）２４´と経路（新たなパス）３４´との分岐点に位置するＱＮＥであるＣＲＮ（Crossover Node）１２´は、ＱｏＳハンドオーバで二重予約を避けるために重要な役割を有する。ＣＲＮ１２´は、重なり合うパス部分（ＣＮ６０´−ＣＲＮ１２´間）と新たなパス部分（ＣＲＮ１２´−ＭＮ１０´間）で異なる処理をする必要がある。すなわち、ＣＮ６０´−ＣＲＮ１２´間における状態の更新とＣＲＮ１２´−ＭＮ１０´間におけるＱｏＳの状態予約をする必要がある。したがって、ＣＲＮ１２´の発見はＱｏＳハンドオーバで重要な問題の１つである。ハンドオーバによるＱｏＳ中断を避けるため、若しくは最小限にするため、すばやく処理しなければならない。しかしながら、ＣＲＮ発見には時間を要し、シグナリング負荷も大きくなる。
【０００５】
そこで、このような問題を解消するためのいくつかのテクニックが提案されている。例えば、下記の非特許文献７に開示されている技術がある。下記の非特許文献７に開示されている技術ではすばやいＣＲＮ発見を実現するプロキシを提案している。ＭＮはプロキシとして振舞うＮＡＲ（New Access Router）に、古いフローＩＤとセッションＩＤの組を含めたリクエストを送信する。ＮＡＲは上流方向のＣＲＮを発見するためにＱＵＥＲＹメッセージをＣＮに送信する。パス上のそれぞれのＱＮＥはＱＵＥＲＹメッセージを取得し、古いフローＩＤとセッションＩＤの組を比較し、自身がＣＲＮか否かをチェックする。ＱＵＥＲＹメッセージを受けると、ＣＮは、受けたＱＵＥＲＹメッセージに対するＲＥＳＰＯＮＳＥメッセージだけでなく、下流方向のＣＲＮを発見するためのＱＵＥＲＹメッセージをＮＡＲに送信する。ＣＲＮの発見には少なくとも１回のＲＴＴ（Round Trip Time）がかかり、ＭＮがハンドオーバをするたびにＣＲＮの発見をしなければならず負荷がかかる。
【０００６】
そこで、シグナリングの負荷を低減させるため、１つの方法としてＣＲＮとしてあるＱＮＥを指定する方法がある。あるＣＲＮとして古いＱｏＳパス上のＱＮＥが指定され、その指定されるＱＮＥとして、例えばＰＡＲ（Previous Access Router）が考えられる。このように構成することにより、シグナリングの負荷を低減させることができる。このような技術は下記の特許文献１及び２に開示されている。
【非特許文献１】NSIS WG（http://www.ietf.org/html.charters/nsis-charter.html）
【非特許文献２】H. Chaskar, Ed, "Requirements of a Quality of Service (QoS) Solution for Mobile IP", RFC3583, September 2003
【非特許文献３】Sven Van den Bosch,Georgios Karagiannis and Andrew McDonald, "NSLP for Quality-of-Service signalling", draft-ietf-nsis-qos-nslp-06.txt, May 2005
【非特許文献４】S. Lee, et al., "Applicability Statement of NSIS Protocols in Mobile Environments", draft-ietf-nsis-applicability-mobility-signaling-01.txt, February 2005
【非特許文献５】R. Hancock et al.,"Next Steps in Signaling: Framework", RFC4080, June 2005
【非特許文献６】M. Brunner (Editor), "Requirements for Signaling Protocols", RFC3726, April 2004
【非特許文献７】T.Ue,T.Sanda,K.Honma,“QoS Mobility Support with Proxy-assisted Fast Crossover Node Discovery”, WPMC2004,September 2004
【特許文献１】特許第３４４１３６７号公報（図１）
【特許文献２】特表２００２−５２８９７６号公報（段落００２４、００３２）
【発明の開示】
【発明が解決しようとする課題】
【０００７】
しかしながら、図１１に示すような、上記の特許文献１及び２に開示された技術におけるネットワークにおいて、ハンドオーバ直後のＱｏＳパス６４´は、ほとんど古いＱｏＳパス２４´と同じであり最適なパスではない。それゆえ、ＭＮ１０´はハンドオーバ後にＱｏＳパス３４´を再度構成する必要があり負荷がかかってしまうという問題がある。
【０００８】
本発明は、上記の問題点に鑑み、ハンドオーバ前に再構成されたＱｏＳパスができる限りハンドオーバ後の最適なＱｏＳパスとなり、ハンドオーバ後に行うＱｏＳパスの再ルート構成の負荷を低減させることができ、ハンドオーバ直後に行うＱｏＳパス設定区間が短くなり、ＱｏＳ中断時間を最小にすることができる高速ＱｏＳハンドオーバ方法及びその方法で用いられる処理ノードを提供することを目的とする。
【課題を解決するための手段】
【０００９】
上記目的を達成するために、本発明によれば、それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中の、第１のアクセスルータに接続する第１のアクセスポイントから、第２のアクセスルータに接続する第２のアクセスポイントへ接続を切り替える際のＱｏＳパスの変更による高速ＱｏＳハンドオーバ方法であって、前記移動端末が、前記ハンドオーバ後の前記ＱｏＳパスの変更処理の負荷を低減させるための所定の処理を行う処理ノードに対して、所定のＱｏＳパスを構成させるための第１のシグナリングを送信するステップと、前記第１のシグナリングを受信する前記処理ノードが、受信した前記第１のシグナリングに基づいて、前記所定のＱｏＳパスのＱｏＳ設定をするための第２のシグナリングを生成し、生成された前記第２のシグナリングを前記所定のＱｏＳパスの前記ＱｏＳ設定を行う所定の通信相手に送出するステップとを有する高速ＱｏＳハンドオーバ方法が提供される。この構成により、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【００１０】
また、本発明の高速ＱｏＳハンドオーバ方法において、前記所定のＱｏＳパスが、前記移動端末自身の通信相手の端末から、前記第２のアクセスポイントが接続されている前記第２のアクセスルータ及び前記第１のアクセスポイントが接続されている前記第１のアクセスルータを経由することは、本発明の好ましい態様である。この構成により、ハンドオーバ前に再構成されたＱｏＳパスができる限りハンドオーバ後の最適なＱｏＳパスとなることができる。
【００１１】
また、本発明の高速ＱｏＳハンドオーバ方法において、前記第１のシグナリングが前記ハンドオーバ前のＱｏＳパスの情報を含むことは、本発明の好ましい態様である。この構成により、ハンドオーバ前にＱｏＳパスを再構成することができる。
【００１２】
また、本発明の高速ＱｏＳハンドオーバ方法において、前記ハンドオーバ前のＱｏＳパスの前記情報がセッション識別情報及びフロー識別情報であることは、本発明の好ましい態様である。この構成により、ハンドオーバ前にＱｏＳパスを再構成することができる。
【００１３】
また、本発明の高速ＱｏＳハンドオーバ方法において、前記所定のＱｏＳパスが構成され、前記移動端末が前記ハンドオーバをした後、前記処理ノード、前記第１のアクセスポイントが接続されている前記第１のアクセスルータ、前記第２のアクセスポイントが接続されている前記第２のアクセスルータのうちのいずれかが、前記所定のＱｏＳパスのうち、前記第２のアクセスルータと前記ハンドオーバ前の前記移動端末が接続していた前記第１のアクセスポイントとの間のＱｏＳパスを消去することは、本発明の好ましい態様である。この構成により、不必要となったＱｏＳパスを消去でき、無駄な帯域の消費を減らすことができる。
【００１４】
また、本発明によれば、それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中の、第１のアクセスルータに接続する第１のアクセスポイントから、第２のアクセスルータに接続する第２のアクセスポイントへ接続を切り替える際のＱｏＳパスの変更による高速ＱｏＳハンドオーバ方法で用いられる処理ノードであって、所定のＱｏＳパスを構成させるための第１のシグナリングを前記移動端末から受信する受信手段と、受信された前記第１のシグナリングに基づいて、前記所定のＱｏＳパスのＱｏＳ設定をするための第２のシグナリングを生成するシグナリング生成手段と、生成された前記第２のシグナリングを前記所定のＱｏＳパスの前記ＱｏＳ設定を行う所定の通信相手に送出する送信手段とを備える処理ノードが提供される。この構成により、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【００１５】
また、本発明の処理ノードにおいて、前記所定のＱｏＳパスが、前記移動端末の通信相手の端末から、前記第２のアクセスポイントが接続されている前記第２のアクセスルータ及び前記第１のアクセスポイントが接続されている前記第１のアクセスルータを経由することは、本発明の好ましい態様である。この構成により、ハンドオーバ前に再構成されたＱｏＳパスができる限りハンドオーバ後の最適なＱｏＳパスとなることができる。
【００１６】
また、本発明の処理ノードにおいて、前記第１のシグナリングが前記ハンドオーバ前のＱｏＳパスの情報を含むことは、本発明の好ましい態様である。この構成により、ハンドオーバ前にＱｏＳパスを再構成することができる。
【００１７】
また、本発明の処理ノードにおいて、前記ハンドオーバ前のＱｏＳパスの前記情報がセッション識別情報及びフロー識別情報であることは、本発明の好ましい態様である。この構成により、ハンドオーバ前にＱｏＳパスを再構成することができる。
【００１８】
また、本発明の処理ノードにおいて、前記所定のＱｏＳパスが構成され、前記移動端末が前記ハンドオーバをした後、前記所定のＱｏＳパスのうち、前記第２のアクセスポイントが接続されている前記第２のアクセスルータと前記ハンドオーバ前の前記移動端末が接続していた前記第１のアクセスポイントとの間のＱｏＳパスを消去するパス消去手段を更に備えることは、本発明の好ましい態様である。この構成により、不必要となったＱｏＳパスを消去でき、無駄な帯域の消費を減らすことができる。
【００１９】
また、本発明によれば、それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中のアクセスルータに接続するアクセスポイントから、他のアクセスルータに接続する他のアクセスポイントへ接続を切り替え、さらにその後前記他のアクセスルータに接続する前記他のアクセスポイントを離れ、所定のアクセスルータに接続する所定アクセスポイントへ接続を切り替えていく際のＱｏＳパスの変更による高速ＱｏＳハンドオーバ方法であって、前記移動端末が、前記ハンドオーバ後の前記ＱｏＳパスの変更処理の負荷を低減させるための所定の処理を行う処理ノードに対して、所定のＱｏＳパスを構成させるための第１のシグナリングを送信するステップと、前記第１のシグナリングを受信する前記処理ノードが、受信した前記第１のシグナリングに基づいて、前記所定のＱｏＳパスのＱｏＳ設定をするための第２のシグナリングを生成し、生成された前記第２のシグナリングを前記所定のＱｏＳパスの前記ＱｏＳ設定を行う所定の通信相手に送出するステップとを有する高速ＱｏＳハンドオーバ方法が提供される。この構成により、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【００２０】
また、本発明の高速ＱｏＳハンドオーバ方法において、前記所定のＱｏＳパスが、前記移動端末自身の通信相手の端末から、前記所定アクセスポイントが接続されている前記所定のアクセスルータ、前記他のアクセスポイントから前記所定アクセスポイントへの移動の間に接続したアクセスポイントがある場合には前記接続したアクセスポイントが接続されているアクセスルータ、前記他のアクセスポイントが接続されている前記他のアクセスルータ、及び前記現在通信中のアクセスポイントが接続されている前記アクセスルータを経由することは、本発明の好ましい態様である。この構成により、ハンドオーバ前に再構成されたＱｏＳパスができる限りハンドオーバ後の最適なＱｏＳパスとなることができる。
【００２１】
また、本発明の高速ＱｏＳハンドオーバ方法において、前記第１のシグナリングが前記ハンドオーバ前のＱｏＳパスの情報を含むことは、本発明の好ましい態様である。この構成により、ハンドオーバ前にＱｏＳパスを再構成することができる。
【００２２】
また、本発明の高速ＱｏＳハンドオーバ方法において、前記ハンドオーバ前のＱｏＳパスの前記情報がセッション識別情報及びフロー識別情報であることは、本発明の好ましい態様である。この構成により、ハンドオーバ前にＱｏＳパスを再構成することができる。
【００２３】
また、本発明の高速ＱｏＳハンドオーバ方法において、前記所定のＱｏＳパスが構成され、前記移動端末が前記ハンドオーバをした後、前記処理ノード、前記移動端末のハンドオーバ前に接続していたアクセスポイントが接続されているアクセスルータ、前記移動端末のハンドオーバ後に接続するアクセスポイントが接続されているアクセスルータのうちのいずれかが、前記所定のＱｏＳパスのうち、移動先の前記アクセスルータと前記ハンドオーバ前の前記移動端末が接続していた前記アクセスポイントとの間のＱｏＳパスを消去することは、本発明の好ましい態様である。この構成により、不必要となったＱｏＳパスを消去でき、無駄な帯域の消費を減らすことができる。
【００２４】
また、本発明によれば、それぞれがサブネットを構成する複数のアクセスルータが通信ネットワークを介して接続されており、固有の通信可能領域を形成するアクセスポイントが前記複数のアクセスルータのそれぞれに少なくとも１つ以上接続されている通信システムで、前記通信可能領域内で前記アクセスポイントとの無線通信を通じて、前記アクセスポイントが接続されている前記アクセスルータとの通信を行うよう構成されている移動端末が、ハンドオーバにより、現在通信中のアクセスルータに接続するアクセスポイントから、他のアクセスルータに接続する他のアクセスポイントへ接続を切り替え、さらにその後前記他のアクセスルータに接続する前記他のアクセスポイントを離れ、所定のアクセスルータに接続する所定アクセスポイントへ接続を切り替えていく際のＱｏＳパスの変更による高速ＱｏＳハンドオーバ方法で用いられる処理ノードであって、所定のＱｏＳパスを構成させるための第１のシグナリングを前記移動端末から受信する受信手段と、受信された前記第１のシグナリングに基づいて、前記所定のＱｏＳパスのＱｏＳ設定をするための第２のシグナリングを生成するシグナリング生成手段と、生成された前記第２のシグナリングを前記所定のＱｏＳパスの前記ＱｏＳ設定を行う所定の通信相手に送出する送信手段とを備える処理ノードが提供される。この構成により、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【００２５】
また、本発明の処理ノードにおいて、前記所定のＱｏＳパスが、前記移動端末自身の通信相手の端末から、前記所定アクセスポイントが接続されている前記所定のアクセスルータ、前記他のアクセスポイントから前記所定アクセスポイントへの移動の間に接続したアクセスポイントがある場合には前記接続したアクセスポイントが接続されているアクセスルータ、前記他のアクセスポイントが接続されている前記他のアクセスルータ、及び前記現在通信中のアクセスポイントが接続されている前記アクセスルータを経由することは、本発明の好ましい態様である。この構成により、ハンドオーバ前に再構成されたＱｏＳパスができる限りハンドオーバ後の最適なＱｏＳパスとなることができる。
【００２６】
また、本発明の処理ノードにおいて、前記第１のシグナリングが前記ハンドオーバ前のＱｏＳパスの情報を含むことは、本発明の好ましい態様である。この構成により、ハンドオーバ前にＱｏＳパスを再構成することができる。
【００２７】
また、本発明の処理ノードにおいて、前記ハンドオーバ前のＱｏＳパスの前記情報がセッション識別情報及びフロー識別情報であることは、本発明の好ましい態様である。この構成により、ハンドオーバ前にＱｏＳパスを再構成することができる。
【００２８】
また、本発明の処理ノードにおいて、前記所定のＱｏＳパスが構成され、前記移動端末が前記ハンドオーバをした後、前記所定のＱｏＳパスのうち、移動先のアクセスルータと前記ハンドオーバ前の前記移動端末が接続していたアクセスポイントとの間のＱｏＳパスを消去するパス消去手段を更に備えることは、本発明の好ましい態様である。この構成により、不必要となったＱｏＳパスを消去でき、無駄な帯域の消費を減らすことができる。
【００２９】
本発明の高速ＱｏＳハンドオーバ方法及びその方法で用いられる処理ノードは、上記構成を有し、ハンドオーバ前に再構成されたＱｏＳパスができる限りハンドオーバ後の最適なＱｏＳパスとなり、ハンドオーバ後に行うＱｏＳパスの再ルート構成の負荷を低減させることができる。また、ハンドオーバ直後に行うＱｏＳパス設定区間が短くなり、ＱｏＳ中断時間を最小にすることができる。
【発明を実施するための最良の形態】
【００３０】
＜第１の実施の形態＞
以下、本発明の第１の実施の形態について図１から図３を用いて説明する。図１は本発明の第１の実施の形態における通信ネットワークの構成を示す構成図である。図２は本発明の第１の実施の形態に係る高速ＱｏＳハンドオーバ方法におけるシグナリングのシーケンスを示すシーケンスチャートである。図３は本発明の第１の実施の形態に係る処理ノードの構成を示す構成図である。
【００３１】
まず、本発明の第１の実施の形態における通信ネットワークの構成について図１を用いて説明する。通信ネットワークは、ＭＮ（移動端末）１０、ＭＮ１０の通信相手のＣＮ６０、ＭＮ１０とＣＮ６０との間に位置し、ＭＮ１０とＣＮ６０との間におけるシグナリング（シグナリングメッセージとも言う）やデータパケットなどを中継するＱＮＥ１１、１２、１３、１４、それぞれのサブネット２０、３０を構成するアクセスルータであるＰＡＲ２１及びＮＡＲ３１、ＰＡＲ２１及びＮＡＲ３１に接続し、固有の通信可能領域を形成するＡＰ（Access Point）２２、２３、３２、３３から構成されている。なお、ここでの通信ネットワークの構成は一例であり、これに限られるものではない。
【００３２】
ＭＮ１０は現在サブネット２０におり、無線でＡＰ２２と接続し、経路（ＱｏＳパス）２４を通じてＣＮ６０と通信をしている。すなわち、ＭＮ１０はＱｏＳパス２４上のＡＰ２２、ＰＡＲ２１、ＱＮＥ１１、ＱＮＥ１２、ＱＮＥ１３を通じてＣＮ６０と通信をしている。以下では、本発明の第１の実施の形態に係るＱｏＳパス変更に伴う処理を行う処理ノードに、サブネット３０に属するＮＡＲ３１を指定した場合について説明する。後述する第２の実施の形態では、処理ノードにサブネット２０に属するＰＡＲ２１を指定した場合について説明する。なお、処理ノードはＮＡＲ３１やＰＡＲ２１に限られるものではなく、他のＱＮＥ（プロキシ）などであってもよい。
【００３３】
ＭＮ１０がサブネット２０からサブネット３０へ移動（ハンドオーバ）する場合、ＭＮ１０は、ハンドオーバ前にＮＡＲ３１に対して、ＣＮ６０からＮＡＲ３１及びＡＰ２２が接続されているＰＡＲ２１を経由した経路（ＱｏＳパス）６４（ここでは、ＣＮ６０からＡＰ２２までの経路）を構成させるためのシグナリングを送信する。このシグナリングには、現在のＱｏＳパス２４のセッションＩＤ及びフローＩＤのようなＱｏＳパス情報が含まれている。具体的には、図１に示すような、例えばＱｏＳパス２４のセッションＩＤであるＹとフローＩＤであるＸがシグナリングには含まれる。なお、ＭＮ１０のハンドオーバ後の新たな経路（ＱｏＳパス）３４のセッションＩＤはＹであり、フローＩＤはＺである。上述したように、セッションＩＤはＭＮ１０の移動によっても同じままである。
【００３４】
シグナリングを受信したＮＡＲ３１は２つの処理を開始する。１つ目の処理は、ＮＡＲ３１からＣＮ６０に向かってＱｏＳパスを構成する処理である。具体的には、ＮＡＲ３１はＣＮ６０（上述した所定の通信相手に相当）に向かってＱｏＳパスの構成（ＱｏＳの状態設定）をするためのシグナリングを送信する。そして、ＮＡＲ３１とＣＮ６０との間に位置するＱＮＥ１４、ＱＮＥ１２、ＱＮＥ１３では、送信されるシグナリングに基づく新たなＱｏＳパスの状態設定が行われ、ＣＮ６０とＮＡＲ３１との間にＱｏＳパス（経路６４の一部のＱｏＳパス）が構成される。構成されるＱｏＳパスは、ＮＡＲ３１とＣＮ６０との間の最適なパスとなる。
【００３５】
２つ目の処理は、ＮＡＲ３１からＰＡＲ２１に向かって一時的なＱｏＳパス（ＡＰ２２までのＱｏＳパス）を構成する処理である。具体的には、ＮＡＲ３１はＰＡＲ２１（上述した所定の通信相手に相当）に向かって一時的なＱｏＳパスの構成（ＱｏＳの状態設定）をするためのシグナリングを送信する。そして、送信されるシグナリングにより一時的なＱｏＳパスの状態設定が行われ、ＡＰ２２とＮＡＲ３１との間に一時的なＱｏＳパス（経路６４の一部）が構成される。構成される一時的なＱｏＳパスは、ＭＮ１０のハンドオーバが完了するとＮＡＲ３１若しくはＰＡＲ２１などによって消去される。これにより、不要となったＱｏＳパスによる帯域の無駄な消費を防ぐことができる。以下に、上述した処理におけるシグナリングのシーケンスについて図２を用いて説明する。
【００３６】
図２に示すように、ＭＮ１０とＣＮ６０との間には既にＱｏＳパス２４（古いＱｏＳパス）が構成されている。この状態から、ＭＮ１０がハンドオーバをすると決定すると、ＭＮ１０はＮＡＲ３１に対してセッションＩＤ及びフローＩＤを含むシグナリングを送信する（ステップＳ２０１）。なお、送信されるシグナリングには、再ルート構成されるＱｏＳパス６４と、ＭＮ１０のハンドオーバ後の新たなＱｏＳパス３４との分岐点になるようリクエストする情報を含めるようにしてもよい。
【００３７】
ＭＮ１０からのシグナリングを受信したＮＡＲ３１は、ＮＡＲ３１からＡＰ２２までの一時的なＱｏＳパスの構成（ＱｏＳの状態設定）のためのシグナリングをＰＡＲ２１に送信し（ステップＳ２０２）、ＮＡＲ３１からＣＮ６０までのＱｏＳパスの構成（ＱｏＳの状態設定）のためのシグナリングをＣＮ６０に送信する（ステップＳ２０３）。これらのシグナリングにより再ルート構成されたＱｏＳパス６４の状態設定が行われ、ＣＮ６０とＡＰ２２との間にＱｏＳパス６４が構成される。そして、ＭＮ１０がハンドオーバを開始して完了すると、ＮＡＲ３１からＡＰ２２までの一時的なＱｏＳパスは消去され、ＣＮ６０とＡＰ３２との間に新たなＱｏＳパス３４が構成される。このように構成されることにより、ＭＮ１０のハンドオーバ後のＱｏＳパスができる限り最適なＱｏＳパスとなり、ハンドオーバ後に行うＱｏＳパスの再ルート構成の負荷を低減させることができる。また、ハンドオーバ直後に行うＱｏＳパス設定区間は、従来では図１１に示すようにＰＡＲ２１´−ＮＡＲ３１´−ＡＰ３２´−ＭＮ１０´であるのに対し、本発明の第１の実施の形態では図１に示すようにＮＡＲ３１−ＡＰ３２−ＭＮ１０と短くなる。このため、ＱｏＳパス構成に要する時間が短くなり、ＱｏＳ中断時間も短くすることができる。また、生成されるＱｏＳパスがＰＡＲ２１及びＮＡＲ３１の双方を通っているため、ＰＡＲ２１とＮＡＲ３１との間でＭＮ１０が行ったり来たりする、いわゆる“ピンポン現象”においても有用である。
【００３８】
次に、本発明の第１の実施の形態に係る処理ノードの構成について図３を用いて説明する。以下では、処理ノードとしてＭＮ１０のハンドオーバ後のサブネット３０に属するＮＡＲ３１を例にとって説明する。図３に示すように、ＮＡＲ３１は、受信手段３０１、送信手段３０２、シグナリング生成手段３０３、パス消去手段３０４、記憶手段３０５から構成されている。受信手段３０１は、上述したＭＮ１０からのＱｏＳパス６４の構成のためのシグナリングや、ＣＮ６０とＭＮ１０との間でやりとりされるパケットなどを受信するものである。送信手段３０２は、後述するシグナリング生成手段３０３によって生成されたＱｏＳパス６４を構成するためのシグナリングや、ＣＮ６０とＭＮ１０との間でやりとりされるパケットなどを送信するものである。
【００３９】
シグナリング生成手段３０３は、受信手段３０１によって受信された、ＭＮ１０から送信されるＱｏＳパス６４を構成するためのシグナリングに基づいて、ＣＮ６０とＮＡＲ３１との間のＱｏＳパス及びＮＡＲ３１とＡＰ２２との間のＱｏＳパスを構成するためのシグナリングをそれぞれ生成するものである。パス消去手段３０４は、ＣＮ６０とＡＰ２２との間にＱｏＳパス６４が構成された後にＭＮ１０がハンドオーバを完了した場合に、ＮＡＲ３１からＡＰ２２までの一時的なＱｏＳパスを消去するものである。なお、この一時的なＱｏＳパスの消去はＰＡＲ２１や他の装置などが行うようにしてもよい。記憶手段３０５は、ＮＡＲ３１の動作を制御するための制御プログラムや、ＮＡＲ３１が処理を行う際に生じるデータなどの情報を格納するものである。
【００４０】
＜第２の実施の形態＞
以下、本発明の第２の実施の形態について図４及び図５を用いて説明する。図４は本発明の第２の実施の形態に係る高速ＱｏＳハンドオーバ方法におけるシグナリングのシーケンスを示すシーケンスチャートである。図５は本発明の第２の実施の形態に係る処理ノードの構成を示す構成図である。
【００４１】
第２の実施の形態では、上述したように処理ノードに、サブネット２０に属するＰＡＲ２１を指定した場合について説明する。なお、第２の実施の形態における通信ネットワークは、第１の実施の形態における通信ネットワークと同様のものとする。第２の実施の形態の場合のシグナリングシーケンスについて図４を用いて説明する。図４に示すように、ハンドオーバをする前には、ＭＮ１０とＣＮ６０との間には経路（古いＱｏＳパス）２４が構成されている。
【００４２】
この状態から、ＭＮ１０がハンドオーバをすると決定すると、ＭＮ１０はシグナリング（セッションＩＤ、フローＩＤなどを含む）をＰＡＲ２１に対して送信する（ステップＳ４０１）。そして、シグナリングを受け取ったＰＡＲ２１は、ＮＡＲ３１（上述した所定の通信相手に相当）に向けてＱｏＳの状態設定のためのシグナリングを送信する（ステップＳ４０２）。そのシグナリングを受け取ったＮＡＲ３１は、ＣＮ６０に向けて同様にＱｏＳの状態設定のためのシグナリングを送信する（ステップＳ４０３）。これにより、ＮＡＲ３１とＣＮ６０との間に位置するＱＮＥ１４、ＱＮＥ１２、ＱＮＥ１３では、送信されるシグナリングに基づく新たなＱｏＳパスの状態設定が行われ、再ルート構成されたＱｏＳパス６４がＣＮ６０とＡＰ２２との間に構成される。
【００４３】
そして、ＭＮ１０がハンドオーバを実際に開始し完了すると、ＮＡＲ３１からＡＰ２２までの一時的なＱｏＳパスは消去され、ＣＮ６０とＡＰ３２との間に新たなＱｏＳパス３４が構成される。このように構成されることにより、ＭＮ１０のハンドオーバ後のＱｏＳパスができる限り最適なＱｏＳパスとなり、ハンドオーバ後に行うＱｏＳパスの再ルート構成の負荷を低減させることができる。また、ハンドオーバ直後に行うＱｏＳパス設定区間は、従来では図１１に示すようにＰＡＲ２１´−ＮＡＲ３１´−ＡＰ３２´−ＭＮ１０´であるのに対し、本発明の第２の実施の形態では図１に示すようにＮＡＲ３１−ＡＰ３２−ＭＮ１０と短くなる。このため、ＱｏＳパス構成に要する時間が短くなり、ＱｏＳ中断時間も短くすることができる。また、生成されるＱｏＳパスがＰＡＲ２１及びＮＡＲ３１の双方を通っているため、ＰＡＲ２１とＮＡＲ３１との間でＭＮ１０が行ったり来たりする、いわゆる“ピンポン現象”においても有用である。
【００４４】
次に、本発明の第２の実施の形態に係る処理ノードの構成について図５を用いて説明する。以下では、処理ノードとしてＭＮ１０のハンドオーバ前のサブネット２０に属するＰＡＲ２１を例にとって説明する。図５に示すように、ＰＡＲ２１は、受信手段５０１、送信手段５０２、シグナリング生成手段５０３、パス消去手段５０４、記憶手段５０５から構成されている。受信手段５０１は、上述したＭＮ１０からのＱｏＳパス６４の構成のためのシグナリングや、ＣＮ６０とＭＮ１０との間でやりとりされるパケットなどを受信するものである。送信手段５０２は、後述するシグナリング生成手段５０３によって生成されたＱｏＳパス６４を構成するためのシグナリングや、ＣＮ６０とＭＮ１０との間でやりとりされるパケットなどを送信するものである。
【００４５】
シグナリング生成手段５０３は、受信手段５０１によって受信された、ＭＮ１０から送信されるＱｏＳパス６４を構成するためのシグナリングに基づいて、ＣＮ６０とＡＰ２２との間のＱｏＳパスを構成するためのシグナリングを生成するものである。そして、生成されたシグナリングを受信するＮＡＲ３１は、受信したシグナリングに基づいて、ＣＮ６０とＮＡＲ３１自身との間のＱｏＳパスを構成するためのシグナリングを生成してＣＮ６０へ送信する。
【００４６】
パス消去手段５０４は、ＣＮ６０とＡＰ２２との間にＱｏＳパス６４が構成された後にＭＮ１０がハンドオーバを開始して完了した場合に、ＮＡＲ３１からＡＰ２２までの一時的なＱｏＳパスを消去するものである。なお、この一時的なＱｏＳパスの消去はＮＡＲ３１や他の装置などが行うようにしてもよい。記憶手段５０５は、ＰＡＲ２１の動作を制御するための制御プログラムや、ＰＡＲ２１が処理を行う際に生じるデータなどの情報を格納するものである。
【００４７】
＜第３の実施の形態＞
以下、本発明の第３の実施の形態について図６から図９を用いて説明する。図６は本発明の第３の実施の形態における通信ネットワークの構成を示す構成図である。図７は本発明の第３の実施の形態に係る高速ＱｏＳハンドオーバ方法におけるシグナリングのシーケンスを示すシーケンスチャートである。図８は本発明の第３の実施の形態に係る処理ノードの構成を示す構成図である。図９は本発明の第３の実施の形態に係る高速ＱｏＳハンドオーバ方法におけるシグナリングの他のシーケンスを示すシーケンスチャートである。
【００４８】
まず、本発明の第３の実施の形態における通信ネットワークの構成について図６を用いて説明する。通信ネットワークは、ＭＮ（移動端末）６１０、ＭＮ６１０の通信相手のＣＮ６６０、ＭＮ６１０とＣＮ６６０との間に位置し、ＭＮ６１０とＣＮ６６０との間におけるシグナリング（シグナリングメッセージとも言う）やデータパケットなどを中継するＱＮＥ６１１、６１２、６１３、６１４、６１５、それぞれのサブネット６２０、６３０、６４０を構成するアクセスルータであるＰＡＲ６２１、[ＮＡＲ１]６３１、[ＮＡＲ２]６４１、そしてＰＡＲ６２１、[ＮＡＲ１]６３１、[ＮＡＲ２]６４１それぞれに接続し、固有の通信可能領域を形成するＡＰ（Access Point）６２２、６２３、６３２、６３３、６４２、６４３から構成されている。なお、ここでの通信ネットワークの構成は一例であり、これに限られるものではない。
【００４９】
ＭＮ６１０は現在サブネット６２０におり、無線でＡＰ６２２と接続し、経路（ＱｏＳパス）６２４を通じてＣＮ６６０と通信をしている。すなわち、ＭＮ６１０はＱｏＳパス６２４上のＡＰ６２２、ＰＡＲ６２１、ＱＮＥ６１１、ＱＮＥ６１２、ＱＮＥ６１３を通じてＣＮ６６０と通信をしている。以下では、本発明の第３の実施の形態に係るＱｏＳパス変更に伴う処理を行う処理ノードに、サブネット６４０に属する[ＮＡＲ２]６４１を指定した場合について説明する。なお、処理ノードにサブネット６２０に属するＰＡＲ６２１を指定した場合については後述する。なお、処理ノードは[ＮＡＲ１]６３１、[ＮＡＲ２]６４１、ＰＡＲ６２１に限られるものではなく、他のＱＮＥ（プロキシ）などであってもよい。
【００５０】
ＭＮ６１０がサブネット６２０からサブネット６３０へ移動（ハンドオーバ）する場合、ＭＮ６１０は、ハンドオーバ前に[ＮＡＲ２]６４１に対して、ＣＮ６６０から[ＮＡＲ２]６４１、[ＮＡＲ１]６３１、及びＡＰ６２２が接続されているＰＡＲ６２１を経由した経路（ＱｏＳパス）６６４（ここでは、ＣＮ６６０からＡＰ６２２までの経路）を構成させるためのシグナリングを送信する。このシグナリングには、現在のＱｏＳパス６２４のセッションＩＤ及びフローＩＤのようなＱｏＳパス情報が含まれている。具体的には、図６に示すような、例えばＱｏＳパス６２４のセッションＩＤであるＹとフローＩＤであるＸがシグナリングには含まれる。なお、ＭＮ６１０のハンドオーバ後の新たな経路（ＱｏＳパス）６３４のセッションＩＤはＹであり、フローＩＤはＺである。上述したように、セッションＩＤはＭＮ６１０の移動によっても同じままである。
【００５１】
シグナリングを受信した[ＮＡＲ２]６４１は２つの処理を開始する。１つ目の処理は、[ＮＡＲ２]６４１からＣＮ６６０（上述した所定の通信相手に相当）に向かってＱｏＳパスを構成する処理である。具体的には、[ＮＡＲ２]６４１はＣＮ６６０に向かってＱｏＳパスの構成（ＱｏＳの状態設定）をするためのシグナリングを送信する。そして、[ＮＡＲ２]６４１とＣＮ６６０との間に位置するＱＮＥ６１５、ＱＮＥ６１２、ＱＮＥ６１３では、送信されるシグナリングに基づく新たなＱｏＳパスの状態設定が行われ、ＣＮ６６０と[ＮＡＲ２]６４１との間にＱｏＳパス（経路６６４の一部のＱｏＳパス）が構成される。構成されるＱｏＳパスは、[ＮＡＲ２]６４１とＣＮ６６０との間の最適なパスとなる。
【００５２】
２つ目の処理は、[ＮＡＲ２]６４１からＰＡＲ６２１（上述した所定の通信相手に相当）に向かって[ＮＡＲ１]６３１を経由した一時的なＱｏＳパス（ＡＰ６２２までのＱｏＳパス）を構成する処理である。具体的には、[ＮＡＲ２]６４１は[ＮＡＲ１]６３１を経由させてＰＡＲ６２１に向かって一時的なＱｏＳパスの構成（ＱｏＳの状態設定）をするためのシグナリングを送信する。そして、送信されるシグナリングにより一時的なＱｏＳパスの状態設定が行われ、ＡＰ６２２と[ＮＡＲ２]６４１との間に一時的なＱｏＳパス（経路６６４の一部）が構成される。このように、例えば２つ先の[ＮＡＲ２]６４１が分かっている場合、[ＮＡＲ２]６４１をパス上に含めることにより、１つ先の[ＮＡＲ１]６３１においてパス変更の処理を省略することができる。また、構成される一時的なＱｏＳパスのうちの[ＮＡＲ１]６３１からＡＰ６２２の一部のＱｏＳパスは、ＭＮ６１０のハンドオーバが完了すると[ＮＡＲ１]６３１若しくはＰＡＲ６２１などによって消去される。これにより、不要となったＱｏＳパスによる帯域の無駄な消費を防ぐことができる。以下に、上述した処理におけるシグナリングのシーケンスについて図７を用いて説明する。
【００５３】
図７に示すように、ＭＮ６１０とＣＮ６６０との間には既にＱｏＳパス６２４（古いＱｏＳパス）が構成されている。この状態から、ＭＮ６１０がハンドオーバをすると決定すると、ＭＮ６１０は[ＮＡＲ２]６４１に対してセッションＩＤ及びフローＩＤを含むシグナリングを送信する（ステップＳ７０１）。
【００５４】
ＭＮ６１０からのシグナリングを受信した[ＮＡＲ２]６４１は、[ＮＡＲ２]６４１からＡＰ６２２までのＱｏＳパスの構成（ＱｏＳの状態設定）のためのシグナリングを[ＮＡＲ１]６３１に送信し（ステップＳ７０２）、シグナリングを受信した[ＮＡＲ１]６３１は受信したシグナリングをＰＡＲ６２１に送信する（ステップＳ７０３）。また、[ＮＡＲ２]６４１は、[ＮＡＲ２]６４１からＣＮ６６０までのＱｏＳパスの構成（ＱｏＳの状態設定）のためのシグナリングをＣＮ６６０に送信する（ステップＳ７０４）。これらのシグナリングにより再ルート構成されたＱｏＳパス６６４の状態設定が行われ、ＣＮ６６０とＡＰ６２２との間にＱｏＳパス６６４が構成される。そして、ＭＮ６１０がハンドオーバを開始して完了すると、[ＮＡＲ１]６３１からＡＰ６２２までのＱｏＳパスは消去され、ＣＮ６６０とＡＰ６３２との間に新たなＱｏＳパス６３４（新たなＱｏＳパスａ）が構成される。さらにその後ＭＮ６１０がＡＰ６３２からＡＰ６４２へのハンドオーバを完了させると、[ＮＡＲ２]６４１からＡＰ６３２との間のＱｏＳパスは消去され、ＣＮ６６０とＡＰ６４２との間に新たなＱｏＳパス（経路）６４４（新たなＱｏＳパスｂ）が構成される。
【００５５】
このように構成されることにより、ＭＮ６１０のハンドオーバ後のＱｏＳパスができる限り最適なＱｏＳパスとなり、ハンドオーバ後に行うＱｏＳパスの再ルート構成の負荷を低減させることができる。また、ハンドオーバ直後に行うＱｏＳパス設定区間は、従来ではＰＡＲ６２１−ＮＡＲ６３１−ＡＰ６３２−ＭＮ６１０であるのに対し、本発明の第３の実施の形態では図６に示すように[ＮＡＲ１]６３１−ＡＰ６３２−ＭＮ６１０と短くなる。このため、ＱｏＳパス構成に要する時間が短くなり、ＱｏＳ中断時間も短くすることができる。また、生成されるＱｏＳパスがＰＡＲ６２１、[ＮＡＲ１]６３１、[ＮＡＲ２]６４１を通っているため、ＰＡＲ６２１、[ＮＡＲ１]６３１、[ＮＡＲ２]６４１の間でＭＮ６１０が行ったり来たりする、いわゆる“ピンポン現象”においても有用である。
【００５６】
次に、本発明の第３の実施の形態に係る処理ノードの構成について図８を用いて説明する。以下では、処理ノードとしてサブネット６４０に属する[ＮＡＲ２]６４１を例にとって説明する。図８に示すように、[ＮＡＲ２]６４１は、受信手段８０１、送信手段８０２、シグナリング生成手段８０３、パス消去手段８０４、記憶手段８０５から構成されている。受信手段８０１は、上述したＭＮ６１０からのＱｏＳパス６６４の構成のためのシグナリングや、ＣＮ６６０とＭＮ６１０との間でやりとりされるパケットなどを受信するものである。送信手段８０２は、後述するシグナリング生成手段８０３によって生成されたＱｏＳパス６６４を構成するためのシグナリングや、ＣＮ６６０とＭＮ６１０との間でやりとりされるパケットなどを送信するものである。
【００５７】
シグナリング生成手段８０３は、受信手段８０１によって受信された、ＭＮ６１０から送信されるＱｏＳパス６６４を構成するためのシグナリングに基づいて、ＣＮ６６０と[ＮＡＲ２]６４１との間のＱｏＳパス及び[ＮＡＲ２]６４１とＡＰ６２２との間のＱｏＳパスを構成するためのシグナリングをそれぞれ生成するものである。パス消去手段８０４は、例えばＣＮ６６０とＡＰ６２２との間にＱｏＳパス６６４が構成された後にＭＮ６１０がハンドオーバを繰り返し、サブネット６３０内のＡＰ６３２からサブネット６４０内のＡＰ６４２へのハンドオーバが完了した場合に、[ＮＡＲ２]６４１から[ＮＡＲ１]６３１までの一時的なＱｏＳパスを消去するものである。なお、この一時的なＱｏＳパスの消去は[ＮＡＲ１]６３１や他の装置などが行うようにしてもよい。記憶手段８０５は、[ＮＡＲ２]６４１の動作を制御するための制御プログラムや、[ＮＡＲ２]６４１が処理を行う際に生じるデータなどの情報を格納するものである。
【００５８】
次に、上述したように処理ノードにサブネット６２０に属するＰＡＲ６２１を指定した場合のシグナリングのシーケンスについて図９を用いて説明する。まず、図９に示すように、ＭＮ６１０とＣＮ６６０との間には既にＱｏＳパス６２４（古いＱｏＳパス）が構成されている。この状態から、ＭＮ６１０がハンドオーバをすると決定すると、ＭＮ６１０はＰＡＲ６２１に対してセッションＩＤ及びフローＩＤを含むシグナリングを送信する（ステップＳ９０１）。
【００５９】
ＭＮ６１０からのシグナリングを受信したＰＡＲ６２１は、ＰＡＲ６２１（ＡＰ６２２）からＣＮ６６０までのＱｏＳパスの構成（ＱｏＳの状態設定）のためのシグナリングをＣＮ６６０（上述した所定の通信相手に相当）に向けて[ＮＡＲ１]６３１に送信する（ステップ９０２）。シグナリングを受信した[ＮＡＲ１]６３１は受信したシグナリングを[ＮＡＲ２]６４１へ送信し（ステップＳ９０３）、シグナリングを受信した[ＮＡＲ２]６４１は受信したシグナリングをＣＮ６６０に送信する（ステップＳ９０４）。これらのシグナリングにより再ルート構成されたＱｏＳパス６６４の状態設定が行われ、ＣＮ６６０とＡＰ６２２との間にＱｏＳパス６６４が構成される。そして、ＭＮ６１０がハンドオーバを開始して完了すると、[ＮＡＲ１]６３１からＡＰ６２２までのＱｏＳパスは消去され、ＣＮ６６０とＡＰ６３２との間に新たなＱｏＳパス６３４（新たなＱｏＳパスａ）が構成される。さらにその後ＭＮ６１０がＡＰ６３２からＡＰ６４２へのハンドオーバを完了させると、[ＮＡＲ２]６４１からＡＰ６３２との間のＱｏＳパスは消去され、ＣＮ６６０とＡＰ６４２との間に新たなＱｏＳパス６４４（新たなＱｏＳパスｂ）が構成される。このように構成されることにより、例えば２つ先の[ＮＡＲ２]６４１が分かっている場合、[ＮＡＲ２]６４１をパス上に含めることにより、１つ先の[ＮＡＲ１]６３１においてパス変更の処理を省略することができる。
【００６０】
以上、本発明の各実施の形態について説明した。なお、上記各実施の形態の説明に用いた各機能ブロックは、典型的には集積回路であるＬＳＩとして実現される。これらは個別に１チップ化されてもよいし、一部又はすべてを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。さらには、半導体技術の進歩又は派生する別技術によりＬＳＩに置き換わる集積回路化の技術が登場すれば、当然、その技術を用いて機能ブロックの集積化を行ってもよい。例えばバイオ技術の適応などが可能性としてあり得る。
【産業上の利用可能性】
【００６１】
本発明に係る高速ＱｏＳハンドオーバ方法及びその方法で用いられる処理ノードは、ハンドオーバ前に再構成されたＱｏＳパスができる限りハンドオーバ後の最適なＱｏＳパスとなり、ハンドオーバ後に行うＱｏＳパスの再ルート構成の負荷を低減させることができ、また、ハンドオーバ直後に行うＱｏＳパス設定区間が短くなり、ＱｏＳ中断時間を最小にすることができるため、無線通信を行う移動端末（モバイルノード）の高速ＱｏＳハンドオーバ方法及びその方法で用いられる処理ノードに利用することができ、特に、次世代インターネットプロトコルであるモバイルＩＰｖ６（Mobile Internet Protocol version 6）プロトコルを利用した無線通信を行うモバイルノードにおける高速ＱｏＳハンドオーバ方法及びその方法で用いられる処理ノードに有用である。
【図面の簡単な説明】
【００６２】
【図１】本発明の第１及び第２の実施の形態における通信ネットワークの構成を示す構成図
【図２】本発明の第１の実施の形態に係る高速ＱｏＳハンドオーバ方法におけるシグナリングのシーケンスを示すシーケンスチャート
【図３】本発明の第１の実施の形態に係る処理ノードの構成を示す構成図
【図４】本発明の第２の実施の形態に係る高速ＱｏＳハンドオーバ方法におけるシグナリングのシーケンスを示すシーケンスチャート
【図５】本発明の第２の実施の形態に係る処理ノードの構成を示す構成図
【図６】本発明の第３の実施の形態における通信ネットワークの構成を示す構成図
【図７】本発明の第３の実施の形態に係る高速ＱｏＳハンドオーバ方法におけるシグナリングのシーケンスを示すシーケンスチャート
【図８】本発明の第３の実施の形態に係る処理ノードの構成を示す構成図
【図９】本発明の第３の実施の形態に係る高速ＱｏＳハンドオーバ方法におけるシグナリングの他のシーケンスを示すシーケンスチャート
【図１０】従来の通信ネットワークを示す図
【図１１】従来の通信ネットワークにおける移動端末のハンドオーバ直後のＱｏＳパスを示す図
【手続補正３】
【補正対象書類名】図面
【補正対象項目名】全図
【補正方法】変更
【補正の内容】
【図１】
2007119598.tif 000014
【図２】
2007119598.tif 000015
【図３】
2007119598.tif 000016
【図４】
2007119598.tif 000017
【図５】
2007119598.tif 000018
【図６】
2007119598.tif 000019
【図７】
2007119598.tif 000020
【図８】
2007119598.tif 000021
【図９】
2007119598.tif 000022
【図１０】
2007119598.tif 000023
【図１１】
2007119598.tif 000024
【国際調査報告】
2007119598.tif 000025
2007119598.tif 000026
2007119598.tif 000027
2007119598.tif 000028